(57)【特許請求の範囲】
【請求項１】
セカンダリノードに実行される情報処理方法であって、
目標リンクのリンク状態情報を取得することと、
前記リンク状態情報に基づいて、前記目標リンクにリンク異常が生じたかを特定することと、
前記目標リンクにリンク異常が生じたと特定した場合、マスタ制御ノードに対し、前記目標リンクにリンク異常が生じた旨を前記マスタ制御ノードに指示することに用いられるリンク異常指示情報を送信することとを含み、
ここで、前記目標リンクは、前記セカンダリノードに接続され、前記セカンダリノードにより状態モニタリングされるリンクであり、
前記リンク異常指示情報は、リンク品質劣化指示情報およびデータ伝送状態情報を含み、
ここで、
前記データ伝送状態情報は、
第１種類データパケットコンテンツのシーケンス番号と、第２種類データパケットコンテンツのシーケンス番号と、第３種類データパケットコンテンツのシーケンス番号とを含み、
ここで、前記第１種類データパケットコンテンツは、エアインタフェース伝送が行われかつ相手側からＡＣＫを取得したＰＤＣＰ（Ｐａｃｋｅｔ  Ｄａｔａ  Ｃｏｎｖｅｒｇｅｎｃｅ  Ｐｒｏｔｏｃｏｌ）  ＰＤＵ（Ｐｒｏｔｏｃｏｌ  Ｄａｔａ  Ｕｎｉｔ）を含み、前記第２種類データパケットコンテンツは、エアインタフェース伝送が行われるが相手側からＡＣＫを取得しなかったＰＤＣＰ  ＰＤＵを含み、前記第３種類データパケットコンテンツは、エアインタフェース伝送が行われないＰＤＣＰ  ＰＤＵを含み、
または、
前記第１種類データパケットコンテンツは、エアインタフェース伝送が行われかつ相手側からＡＣＫを取得したＲＬＣ（Ｒａｄｉｏ  Ｌｉｎｋ  Ｃｏｎｔｒｏｌ）  ＰＤＵを含み、前記第２種類データパケットコンテンツは、エアインタフェース伝送が行われるが相手側からＡＣＫを取得しなかったＲＬＣ  ＰＤＵを含み、前記第３種類データパケットコンテンツは、エアインタフェース伝送が行われないＲＬＣ  ＰＤＵを含み、
あるいは、
前記データ伝送状態情報は、
第１種類データパケットコンテンツに対応する最大シーケンス番号と、前記第１種類データパケットコンテンツに対応する最大シーケンス番号以上の第２種類データパケットコンテンツに対応する最大シーケンス番号を含み、
ここで、前記第１種類データパケットコンテンツは、エアインタフェース伝送が連続的に行われかつ相手側からＡＣＫを取得したＰＤＣＰ  ＰＤＵを含み、前記第２種類データパケットコンテンツは、エアインタフェース伝送が行われるＰＤＣＰ  ＰＤＵを含み、
または、
前記第１種類データパケットコンテンツは、エアインタフェース伝送が連続的に行われかつ相手側からＡＣＫを取得したＲＬＣ  ＰＤＵを含み、前記第２種類データパケットコンテンツは、エアインタフェース伝送が行われるＲＬＣ  ＰＤＵを含み、
あるいは、
前記データ伝送状態情報は、
第５種類データパケットコンテンツに対応する最大シーケンス番号と、前記第５種類データパケットコンテンツに対応する最大シーケンス番号より小さい第２種類データパケットコンテンツのシーケンス番号とを含み、
ここで、前記第５種類データパケットコンテンツは、エアインタフェース伝送が行われるＰＤＣＰ  ＰＤＵを含み、前記第２種類データパケットコンテンツは、エアインタフェース伝送が行われるが相手側からＡＣＫを取得しなかったＰＤＣＰ  ＰＤＵを含み、
または、
前記第５種類データパケットコンテンツは、エアインタフェース伝送が行われるＲＬＣ  ＰＤＵを含み、前記第２種類データパケットコンテンツは、エアインタフェース伝送が行われるが相手側からＡＣＫを取得しなかったＲＬＣ  ＰＤＵを含み、
あるいは、
前記データ伝送状態情報は、
エアインタフェース伝送が行われるデータパケットコンテンツのシーケンス番号、および／または、エアインタフェース伝送が行われないデータパケットコンテンツのシーケンス番号を含み、
ここで、前記エアインタフェース伝送が行われるデータパケットコンテンツは、エアインタフェース伝送が行われるＰＤＣＰ  ＰＤＵを含み、前記エアインタフェース伝送が行われないデータパケットコンテンツは、エアインタフェース伝送が行われないＰＤＣＰ  ＰＤＵを含み、
または、
前記エアインタフェース伝送が行われるデータパケットコンテンツは、エアインタフェース伝送が行われるＲＬＣ  ＰＤＵを含み、前記エアインタフェース伝送が行われないデータパケットコンテンツは、エアインタフェース伝送が行われないＲＬＣ  ＰＤＵを含み、
あるいは、
前記データ伝送状態情報は、
エアインタフェース伝送が行われるデータパケットコンテンツに対応する最大シーケンス番号を含み、
前記エアインタフェース伝送が行われるデータパケットコンテンツは、エアインタフェース伝送が行われるＲＬＣ  ＰＤＵを含む、情報処理方法。
【請求項２】
前記リンク状態情報に基づいて、前記目標リンクにリンク異常が生じたかを特定することは、
前記リンク状態情報が所定のリンク劣化条件を満たすかを特定することと、
前記リンク状態情報が所定のリンク劣化条件を満たすのであれば、前記目標リンクに異常が生じたと特定することとを含む請求項１に記載の方法。
【請求項３】
マスタ制御ノードに実行される情報処理方法であって、
目標リンクにリンク異常が生じたことを指示することに用いられるリンク異常指示情報
をセカンダリノードから受信することと、
前記リンク異常指示情報に基づいて前記目標リンクの代替リンクを選択し、前記目標リ
ンクに対応するデータを前記代替リンクで処理することとを含み、
ここで、前記目標リンクは、前記セカンダリノードに接続され、前記セカンダリノードにより状態モニタリングされるリンクであり、
前記リンク異常指示情報は、リンク品質劣化指示情報およびデータ伝送状態情報を含み、
リンク異常指示情報をセカンダリノードから受信した後に、さらに、
前記データ伝送状態情報に基づいて処理対象データを特定することを情報処理方法は含み、
ここで、
前記データ伝送状態情報は、
第１種類データパケットコンテンツのシーケンス番号と、第２種類データパケットコンテンツのシーケンス番号と、第３種類データパケットコンテンツのシーケンス番号とを含み、
前記データ伝送状態情報に基づいて処理対象データを特定することは、
前記第２種類データパケットコンテンツのシーケンス番号と前記第３種類データパケットコンテンツのシーケンス番号に基づいて、前記第２種類データパケットコンテンツと前記第３種類データパケットコンテンツを前記処理対象データとすることを含み、
前記目標リンクのデータを前記代替リンクで処理することは、
前記第２種類データパケットコンテンツを前記代替リンクで再送し、前記第３種類データパケットコンテンツを前記代替リンクで伝送することを含み、
ここで、前記第１種類データパケットコンテンツは、エアインタフェース伝送が行われかつ相手側からＡＣＫを取得したＰＤＣＰ  ＰＤＵを含み、前記第２種類データパケットコンテンツは、エアインタフェース伝送が行われるが相手側からＡＣＫを取得しなかったＰＤＣＰ  ＰＤＵを含み、前記第３種類データパケットコンテンツは、エアインタフェース伝送が行われないＰＤＣＰ  ＰＤＵを含み、
または、
前記第１種類データパケットコンテンツは、エアインタフェース伝送が行われかつ相手側からＡＣＫを取得したＲＬＣ  ＰＤＵを含み、前記第２種類データパケットコンテンツは、エアインタフェース伝送が行われるが相手側からＡＣＫを取得しなかったＲＬＣ  ＰＤＵを含み、前記第３種類データパケットコンテンツは、エアインタフェース伝送が行われないＲＬＣ  ＰＤＵを含み、
あるいは、
前記データ伝送状態情報は、
第１種類データパケットコンテンツに対応する最大シーケンス番号と、前記第１種類データパケットコンテンツに対応する最大シーケンス番号以上の第２種類データパケットコンテンツに対応する最大シーケンス番号を含み、
前記データ伝送状態情報に基づいて前記処理対象データを特定することは、
前記セカンダリノードに割り当てられるすべてのデータパケットコンテンツから、前記第１種類データパケットコンテンツに対応する最大シーケンス番号と前記第２種類データパケットコンテンツに対応する最大シーケンス番号に基づいて、再送データパケットコンテンツと伝送データパケットコンテンツを特定することを含み、
ここで、前記再送データパケットコンテンツのシーケンス番号は、前記第１種類データパケットコンテンツに対応する最大シーケンス番号より大きくかつ前記第２種類データパケットコンテンツに対応する最大シーケンス番号より小さく、
前記伝送データパケットコンテンツのシーケンス番号は、前記第２種類データパケットコンテンツに対応する最大シーケンス番号より大きく、
前記目標リンクのデータを前記代替リンクで処理することは、
前記再送データパケットコンテンツを前記代替リンクで再送し、前記伝送データパケットコンテンツを前記代替リンクで伝送することを含み、
ここで、前記第１種類データパケットコンテンツは、エアインタフェース伝送が連続的に行われかつ相手側からＡＣＫを取得したＰＤＣＰ  ＰＤＵを含み、前記第２種類データパケットコンテンツは、エアインタフェース伝送が行われるＰＤＣＰ  ＰＤＵを含み、
または、
前記第１種類データパケットコンテンツは、エアインタフェース伝送が連続的に行われかつ相手側からＡＣＫを取得したＲＬＣ  ＰＤＵを含み、前記第２種類データパケットコンテンツは、エアインタフェース伝送が行われるＲＬＣ  ＰＤＵを含み、
あるいは、
前記データ伝送状態情報は、
第５種類データパケットコンテンツに対応する最大シーケンス番号と、前記第５種類データパケットコンテンツに対応する最大シーケンス番号より小さい第２種類データパケットコンテンツのシーケンス番号とを含み、
前記データ伝送状態情報に基づいて前記処理対象データを特定することは、
前記第５種類データパケットコンテンツに対応する最大シーケンス番号および前記第２種類データパケットコンテンツのシーケンス番号に基づいて、再送データパケットコンテンツと伝送データパケットコンテンツを特定することを含み、
ここで、前記第２種類データパケットコンテンツを前記再送データパケットコンテンツとし、前記セカンダリノードに割り当てられるデータパケットコンテンツのうち、前記第５種類データパケットコンテンツに対応する最大シーケンス番号より大きいシーケンス番号のデータパケットコンテンツを、前記伝送データパケットコンテンツとすることを含み、
前記目標リンクのデータを前記代替リンクで処理することは、
前記再送データパケットコンテンツを前記代替リンクで再送し、前記伝送データパケットコンテンツを前記代替リンクで伝送することを含み、
ここで、前記第５種類データパケットコンテンツは、エアインタフェース伝送が行われるＰＤＣＰ  ＰＤＵを含み、前記第２種類データパケットコンテンツは、エアインタフェース伝送が行われるが相手側からＡＣＫを取得しなかったＰＤＣＰ  ＰＤＵを含み、
または、
前記第５種類データパケットコンテンツは、エアインタフェース伝送が行われるＲＬＣ  ＰＤＵを含み、前記第２種類データパケットコンテンツは、エアインタフェース伝送が行われるが相手側からＡＣＫを取得しなかったＲＬＣ  ＰＤＵを含み、
あるいは、
前記データ伝送状態情報は、
エアインタフェース伝送が行われるデータパケットコンテンツのシーケンス番号、および、エアインタフェース伝送が行われないデータパケットコンテンツのシーケンス番号のうちの少なくともひとつを含み、
前記データ伝送状態情報に基づいて前記処理対象データを特定することは、
前記エアインタフェース伝送が行われるデータパケットコンテンツのシーケンス番号およびエアインタフェース伝送が行われないデータパケットコンテンツのシーケンス番号のうちの少なくともひとつに基づいて、エアインタフェース伝送が行われないデータパケットコンテンツを処理対象データとすることを含み、
ここで、前記エアインタフェース伝送が行われるデータパケットコンテンツは、エアインタフェース伝送が行われるＰＤＣＰ  ＰＤＵを含み、前記エアインタフェース伝送が行われないデータパケットコンテンツは、エアインタフェース伝送が行われないＰＤＣＰ  ＰＤＵを含み、
または、
前記エアインタフェース伝送が行われるデータパケットコンテンツは、エアインタフェース伝送が行われるＲＬＣ  ＰＤＵを含み、前記エアインタフェース伝送が行われないデータパケットコンテンツは、エアインタフェース伝送が行われないＲＬＣ  ＰＤＵを含み、
あるいは、
前記データ伝送状態情報は、
エアインタフェース伝送が行われるデータパケットコンテンツに対応する最大シーケンス番号を含み、
前記エアインタフェース伝送が行われるデータパケットコンテンツは、エアインタフェース伝送が行われるＲＬＣ  ＰＤＵを含み、
前記データ伝送状態情報に基づいて前記処理対象データを特定することは、
前記セカンダリノードに割り当てられるデータパケットコンテンツのうち、前記エアインタフェース伝送が行われるデータパケットコンテンツに対応する最大シーケンス番号より大きいシーケンス番号のデータパケットコンテンツを、前記処理対象データとすることを含む、情報処理方法。
【請求項４】
前記目標リンクに対応するデータを前記代替リンクで処理することは、
前記処理対象データを前記代替リンクで処理することを含む請求項３に記載の方法。
【請求項５】
セカンダリノードに適用される情報処理装置であって、
目標リンクのリンク状態情報を取得することに用いられる情報取得モジュールと、
前記リンク状態情報に基づいて、前記目標リンクにリンク異常が生じたかを特定することに用いられる情報判断モジュールと、
前記目標リンクにリンク異常が生じたと特定した場合、マスタ制御ノードに対し、前記目標リンクにリンク異常が生じた旨を前記マスタ制御ノードに指示することに用いられるリンク異常指示情報を送信することに用いられる情報送信モジュールとを含み、
ここで、前記目標リンクは、前記セカンダリノードに接続され、前記セカンダリノードにより状態モニタリングされるリンクであり、
前記リンク異常指示情報は、リンク品質劣化指示情報およびデータ伝送状態情報を含み、
ここで、
前記情報送信モジュールから送信されるデータ伝送状態情報は、
第１種類データパケットコンテンツのシーケンス番号と、第２種類データパケットコンテンツのシーケンス番号と、第３種類データパケットコンテンツのシーケンス番号とを含み、
ここで、前記第１種類データパケットコンテンツは、エアインタフェース伝送が行われかつ相手側からＡＣＫを取得したＰＤＣＰ  ＰＤＵを含み、前記第２種類データパケットコンテンツは、エアインタフェース伝送が行われるが相手側からＡＣＫを取得しなかったＰＤＣＰ  ＰＤＵを含み、前記第３種類データパケットコンテンツは、エアインタフェース伝送が行われないＰＤＣＰ  ＰＤＵを含み、
または、
前記第１種類データパケットコンテンツは、エアインタフェース伝送が行われかつ相手側からＡＣＫを取得したＲＬＣ  ＰＤＵを含み、前記第２種類データパケットコンテンツは、エアインタフェース伝送が行われるが相手側からＡＣＫを取得しなかったＲＬＣ  ＰＤＵを含み、前記第３種類データパケットコンテンツは、エアインタフェース伝送が行われないＲＬＣ  ＰＤＵを含み、
あるいは、
前記情報送信モジュールから送信されるデータ伝送状態情報は、
第１種類データパケットコンテンツに対応する最大シーケンス番号と、前記第１種類データパケットコンテンツに対応する最大シーケンス番号以上の第２種類データパケットコンテンツに対応する最大シーケンス番号を含み、
ここで、前記第１種類データパケットコンテンツは、エアインタフェース伝送が連続的に行われかつ相手側からＡＣＫを取得したＰＤＣＰ  ＰＤＵを含み、前記第２種類データパケットコンテンツは、エアインタフェース伝送が行われるＰＤＣＰ  ＰＤＵを含み、
または、
前記第１種類データパケットコンテンツは、エアインタフェース伝送が連続的に行われかつ相手側からＡＣＫを取得したＲＬＣ  ＰＤＵを含み、前記第２種類データパケットコンテンツは、エアインタフェース伝送が行われるＲＬＣ  ＰＤＵを含み、
あるいは、
前記情報送信モジュールから送信されるデータ伝送状態情報は、
第５種類データパケットコンテンツに対応する最大シーケンス番号と、前記第５種類データパケットコンテンツに対応する最大シーケンス番号より小さい第２種類データパケットコンテンツのシーケンス番号とを含み、
ここで、前記第５種類データパケットコンテンツは、エアインタフェース伝送が行われるＰＤＣＰ  ＰＤＵを含み、前記第２種類データパケットコンテンツは、エアインタフェース伝送が行われるが相手側からＡＣＫを取得しなかったＰＤＣＰ  ＰＤＵを含み、
または、
前記第５種類データパケットコンテンツは、エアインタフェース伝送が行われるＲＬＣ  ＰＤＵを含み、前記第２種類データパケットコンテンツは、エアインタフェース伝送が行われるが相手側からＡＣＫを取得しなかったＲＬＣ  ＰＤＵを含み、
あるいは、
前記情報送信モジュールから送信されるデータ伝送状態情報は、
エアインタフェース伝送が行われるデータパケットコンテンツのシーケンス番号、および、エアインタフェース伝送が行われないデータパケットコンテンツのシーケンス番号のうちの少なくともひとつを含み、
ここで、前記エアインタフェース伝送が行われるデータパケットコンテンツは、エアインタフェース伝送が行われるＰＤＣＰ  ＰＤＵを含み、前記エアインタフェース伝送が行われないデータパケットコンテンツは、エアインタフェース伝送が行われないＰＤＣＰ  ＰＤＵを含み、
または、
前記エアインタフェース伝送が行われるデータパケットコンテンツは、エアインタフェース伝送が行われるＲＬＣ  ＰＤＵを含み、前記エアインタフェース伝送が行われないデータパケットコンテンツは、エアインタフェース伝送が行われないＲＬＣ  ＰＤＵを含み、
あるいは、
前記情報送信モジュールから送信されるデータ伝送状態情報は、
エアインタフェース伝送が行われるデータパケットコンテンツに対応する最大シーケンス番号を含み、
前記エアインタフェース伝送が行われるデータパケットコンテンツは、
エアインタフェース伝送が行われるＲＬＣ  ＰＤＵを含む、情報処理装置。
【請求項６】
マスタ制御ノードに適用される情報処理装置であって、
目標リンクにリンク異常が生じたことを指示することに用いられるリンク異常指示情報をセカンダリノードから受信することに用いられる情報受信モジュールと、
前記リンク異常指示情報に基づいて前記目標リンクの代替リンクを選択し、前記目標リンクに対応するデータを前記代替リンクで処理することに用いられる情報処理モジュールとを含み、
ここで、前記目標リンクは、前記セカンダリノードに接続され、前記セカンダリノードにより状態モニタリングされるリンクであり、
前記リンク異常指示情報は、リンク品質劣化指示情報およびデータ伝送状態情報を含み、
前記情報処理装置は、前記データ伝送状態情報に基づいて処理対象データを特定することに用いられる情報特定モジュールをさらに含み、
ここで、
前記データ伝送状態情報は、
第１種類データパケットコンテンツのシーケンス番号と、第２種類データパケットコンテンツのシーケンス番号と、第３種類データパケットコンテンツのシーケンス番号とを含み、
前記情報特定モジュールは、具体的に、
前記第２種類データパケットコンテンツのシーケンス番号と前記第３種類データパケットコンテンツのシーケンス番号に基づいて、前記第２種類データパケットコンテンツと前記第３種類データパケットコンテンツを前記処理対象データとすることに用いられ、
前記情報処理モジュールは、具体的に、
前記第２種類データパケットコンテンツを前記代替リンクで再送し、前記第３種類データパケットコンテンツを前記代替リンクで伝送することに用いられ、
ここで、前記第１種類データパケットコンテンツは、エアインタフェース伝送が行われかつ相手側からＡＣＫを取得したＰＤＣＰ  ＰＤＵを含み、前記第２種類データパケットコンテンツは、エアインタフェース伝送が行われるが相手側からＡＣＫを取得しなかったＰＤＣＰ  ＰＤＵを含み、前記第３種類データパケットコンテンツは、エアインタフェース伝送が行われないＰＤＣＰ  ＰＤＵを含み、
または、
前記第１種類データパケットコンテンツは、エアインタフェース伝送が行われかつ相手側からＡＣＫを取得したＲＬＣ  ＰＤＵを含み、前記第２種類データパケットコンテンツは、エアインタフェース伝送が行われるが相手側からＡＣＫを取得しなかったＲＬＣ  ＰＤＵを含み、前記第３種類データパケットコンテンツは、エアインタフェース伝送が行われないＲＬＣ  ＰＤＵを含み、
あるいは、
前記データ伝送状態情報は、
第１種類データパケットコンテンツに対応する最大シーケンス番号と、前記第１種類データパケットコンテンツに対応する最大シーケンス番号以上の第２種類データパケットコンテンツに対応する最大シーケンス番号を含み、
前記情報特定モジュールは、具体的に、
前記セカンダリノードに割り当てられるすべてのデータパケットコンテンツから、前記第１種類データパケットコンテンツに対応する最大シーケンス番号および第２種類データパケットコンテンツに対応する最大シーケンス番号に基づいて、再送データパケットコンテンツと伝送データパケットコンテンツを特定することに用いられ、
ここで、前記再送データパケットコンテンツのシーケンス番号は、前記第１種類データパケットコンテンツに対応する最大シーケンス番号より大きくかつ前記第２種類データパケットコンテンツに対応する最大シーケンス番号より小さく、
前記伝送データパケットコンテンツのシーケンス番号は、前記第２種類データパケットコンテンツに対応する最大シーケンス番号より大きく、
前記情報処理モジュールは、具体的に、
前記再送データパケットコンテンツを前記代替リンクで再送し、前記伝送データパケットコンテンツを前記代替リンクで伝送することに用いられ、
ここで、前記第１種類データパケットコンテンツは、エアインタフェース伝送が連続的に行われかつ相手側からＡＣＫを取得したＰＤＣＰ  ＰＤＵを含み、前記第２種類データパケットコンテンツは、エアインタフェース伝送が行われるＰＤＣＰ  ＰＤＵを含み、
または、
前記第１種類データパケットコンテンツは、エアインタフェース伝送が連続的に行われかつ相手側からＡＣＫを取得したＲＬＣ  ＰＤＵを含み、前記第２種類データパケットコンテンツは、エアインタフェース伝送が行われるＲＬＣ  ＰＤＵを含み、
あるいは、
前記データ伝送状態情報は、
第５種類データパケットコンテンツに対応する最大シーケンス番号と、前記第５種類データパケットコンテンツに対応する最大シーケンス番号より小さい第２種類データパケットコンテンツのシーケンス番号とを含み、
前記情報特定モジュールは、具体的に、
前記第５種類データパケットコンテンツに対応する最大シーケンス番号および前記第２種類データパケットコンテンツのシーケンス番号に基づいて、再送データパケットコンテンツと伝送データパケットコンテンツを特定することに用いられ、
ここで、前記第２種類データパケットコンテンツを前記再送データパケットコンテンツとし、前記セカンダリノードに割り当てられるすべてのデータパケットコンテンツのうち、前記第５種類データパケットコンテンツに対応する最大シーケンス番号より大きいシーケンス番号のデータパケットコンテンツを前記伝送データパケットコンテンツとし、
前記情報処理モジュールは、具体的に、
前記再送データパケットコンテンツを前記代替リンクで再送し、前記伝送データパケットコンテンツを前記代替リンクで伝送することに用いられ、
ここで、前記第５種類データパケットコンテンツは、エアインタフェース伝送が行われるＰＤＣＰ  ＰＤＵを含み、前記第２種類データパケットコンテンツは、エアインタフェース伝送が行われるが相手側からＡＣＫを取得しなかったＰＤＣＰ  ＰＤＵを含み、
または、
前記第５種類データパケットコンテンツは、エアインタフェース伝送が行われるＲＬＣ  ＰＤＵを含み、前記第２種類データパケットコンテンツは、エアインタフェース伝送が行われるが相手側からＡＣＫを取得しなかったＲＬＣ  ＰＤＵを含み、
あるいは、
前記データ伝送状態情報は、
エアインタフェース伝送が行われるデータパケットコンテンツのシーケンス番号、および、エアインタフェース伝送が行われないデータパケットコンテンツのシーケンス番号のうちの少なくともひとつを含み、
前記情報特定モジュールは、具体的に、
前記エアインタフェース伝送が行われるデータパケットコンテンツのシーケンス番号およびエアインタフェース伝送が行われないデータパケットコンテンツのシーケンス番号のうちの少なくともひとつに基づいて、エアインタフェース伝送が行われないデータパケットコンテンツを処理対象データとすることに用いられ、
ここで、前記エアインタフェース伝送が行われるデータパケットコンテンツは、エアインタフェース伝送が行われるＰＤＣＰ  ＰＤＵを含み、前記エアインタフェース伝送が行われないデータパケットコンテンツは、エアインタフェース伝送が行われないＰＤＣＰ  ＰＤＵを含み、
または、
前記エアインタフェース伝送が行われるデータパケットコンテンツは、エアインタフェース伝送が行われるＲＬＣ  ＰＤＵを含み、前記エアインタフェース伝送が行われないデータパケットコンテンツは、エアインタフェース伝送が行われないＲＬＣ  ＰＤＵを含み、
あるいは、
前記データ伝送状態情報は、
エアインタフェース伝送が行われるデータパケットコンテンツに対応する最大シーケンス番号を含み、
前記エアインタフェース伝送が行われるデータパケットコンテンツは、
エアインタフェース伝送が行われるＲＬＣ  ＰＤＵを含み、
前記情報特定モジュールは、具体的に、
前記セカンダリノードに割り当てられるすべてのデータパケットコンテンツのうち、前記エアインタフェース伝送が行われるデータパケットコンテンツに対応する最大シーケンス番号より大きいシーケンス番号のデータパケットコンテンツを、前記処理対象データとして特定することに用いられる、情報処理装置。
【請求項７】
前記情報処理モジュールは、具体的に、
前記リンク異常指示情報に基づいて前記目標リンクの代替リンクを選択し、前記処理対
象データを前記代替リンクで処理することに用いられる請求項６に記載の装置。
【発明の詳細な説明】
【技術分野】
【０００１】
本願は、２０１６年１１月４日に中国特許庁に提出された中国特許出願２０１６１０９６２９９１．０の優先権を主張し、その全ての内容が援用によりここに取り込まれる。
本開示は、通信技術分野に係り、特に情報処理方法および装置に係る。
【背景技術】
【０００２】
将来の移動通信システムにおいて、より広い伝送帯域幅およびより高い伝送レートがサポートされ、帯域幅がＧＨｚレベルに達し、伝送レートが１０Ｇｂｐｓレベルに達する。このようなシナリオに対応するために、大量の高周波スモールセルの高密度配置は、一般的な配置シナリオになる。セル同士のよりよい提携および高効率動作のために、統合管理を行う集中型ノードをデータのアンカーポイントとすることは、システム効率に対してもユーザ体験に対して好適な解決策である。
【０００３】
関連の通信システムにおいて、ＵＥ（Ｕｓｅｒ  Ｅｑｕｉｐｍｅｎｔ）とｅＮＢ（ｅｖｏｌｖｅｄ  Ｎｏｄｅ  Ｂ）との間のデータ伝送は、通常、ＰＤＣＰ（Ｐａｃｋｅｔ  Ｄａｔａ  Ｃｏｎｖｅｒｇｅｎｃｅ  Ｐｒｏｔｏｃｏｌ）、ＲＬＣ（Ｒａｄｉｏ  Ｌｉｎｋ  Ｃｏｎｔｒｏｌ）、ＭＡＣ（Ｍｅｄｉａ  Ａｃｃｅｓｓ  Ｃｏｎｔｒｏｌ）、ＰＨＹ（Ｐｈｙｓｉｃａｌ  Ｌａｙｅｒ）を介して行われる。デュアルコネクション技術は、ＭｅＮＢセルとＳｅＮＢセルとはカバレッジがオーバーラップしかつ同じまたは異なる周波数を使用するシナリオや、ＳｅＮＢセルのカバレッジセル間のみのバックホールリンクが理想的でないシナリオに導入される。デュアルコネクションとは、バックホールリンクが理想的でない複数のネットワークノードからユーザ機器に無線リソースを提供することを意味する。すなわち、ＭｅＮＢ（Ｍａｓｔｅｒ  ｅＮＢ）であってもＳｅＮＢ（Ｓｅｃｏｎｄａｒｙ  ｅＮＢ）であっても、ユーザ機器との間にエアインターフェース接続が存在し、同時にＵＥにサービスを提供できることを意味する。
デュアルコネクションのアーキテクチャにおいて、異なるｅＮＢの間でユーザデータの分流処理が行われ、ＲＬＣ以下で２つのｅＮＢの分別処理が行われる。このようなアーキテクチャでは、ＳｅＮＢとＭｅＮＢとの間のトラフィック制御およびＸ２インターフェース伝送失敗のフィードバックは、Ｘ２インターフェースのシグナリングプロセスを通して行われる。
なお、非特許文献１には、Ｓ-ＲＬＦのトリガ機構、Ｓ-ＲＬＦの内容、Ｓ-ＲＬＦのＬ２処理および無線リソース処理についての内容が開示されている。
【先行技術文献】
【非特許文献】
【０００４】
【非特許文献１】３ＧＰＰ  ＴＳＧ−ＲＡＮ  ＷＧ２＃８７  Ｒ２−１４３５４０
【発明の概要】
【０００５】
本開示は、データの正しい伝送を保証する情報処理方法および装置を提供する。
【０００６】
第１態様として、本開示は、情報処理方法を提供する。当該方法情報処理方法において、目標リンクのリンク状態情報を取得することと、前記リンク状態情報に基づいて、前記目標リンクにリンク異常が生じたかを特定することと、前記目標リンクにリンク異常が生じたと特定した場合、マスタ制御ノードに対し、前記目標リンクにリンク異常が生じた旨を前記マスタ制御ノードに指示することに用いられるリンク異常指示情報を送信することとを含む。
【０００７】
選択可能に、前記リンク状態情報に基づいて、前記目標リンクにリンク異常が生じたかを特定することは、前記リンク状態情報が所定のリンク劣化条件を満たすかを特定することと、前記リンク状態情報が所定のリンク劣化条件を満たすのであれば、前記目標リンクに異常が生じたと特定することとを含む。
【０００８】
選択可能に、前記リンク異常指示情報は、リンク品質劣化指示情報およびデータ伝送状態情報のうちの少なくともひとつを含む。
【０００９】
選択可能に、前記リンク異常指示情報に前記データ伝送状態情報が含まれる場合、前記データ伝送状態情報は、第１種類データパケットコンテンツのシーケンス番号と、第２種類データパケットコンテンツのシーケンス番号と、第３種類データパケットコンテンツのシーケンス番号とを含む。ここで、前記第１種類データパケットコンテンツは、エアインタフェース伝送が行われかつ相手側からＡＣＫを取得したＰＤＣＰ  ＰＤＵを含み、前記第２種類データパケットコンテンツは、エアインタフェース伝送が行われるが相手側からＡＣＫを取得しなかったＰＤＣＰ  ＰＤＵを含み、前記第３種類データパケットコンテンツは、エアインタフェース伝送が行われないＰＤＣＰ  ＰＤＵを含む。または、前記第１種類データパケットコンテンツは、エアインタフェース伝送が行われかつ相手側からＡＣＫを取得したＲＬＣ  ＰＤＵを含み、前記第２種類データパケットコンテンツは、エアインタフェース伝送が行われるが相手側からＡＣＫを取得しなかったＲＬＣ  ＰＤＵを含み、前記第３種類データパケットコンテンツは、エアインタフェース伝送が行われないＲＬＣ  ＰＤＵを含む。
【００１０】
選択可能に、前記リンク異常指示情報に前記データ伝送状態情報が含まれる場合、前記データ伝送状態情報は、第１種類データパケットコンテンツに対応する最大シーケンス番号と、前記第１種類データパケットコンテンツに対応する最大シーケンス番号以上の第２種類データパケットコンテンツに対応する最大シーケンス番号を含む。ここで、前記第１種類データパケットコンテンツは、エアインタフェース伝送が連続的に行われかつ相手側からＡＣＫを取得したＰＤＣＰ  ＰＤＵを含み、前記第２種類データパケットコンテンツは、エアインタフェース伝送が行われるＰＤＣＰ  ＰＤＵを含む。または、前記第１種類データパケットコンテンツは、エアインタフェース伝送が連続的に行われかつ相手側からＡＣＫを取得したＲＬＣ  ＰＤＵを含み、前記第２種類データパケットコンテンツは、エアインタフェース伝送が行われるＲＬＣ  ＰＤＵを含む。
【００１１】
選択可能に、前記データ伝送状態情報は、前記マスタ制御ノードから割り当てられるデータパケットコンテンツに対応する最大シーケンス番号、および／または、前記第１種類データパケットコンテンツに対応する最大シーケンス番号より大きくかつ前記第２種類データパケットコンテンツに対応する最大シーケンス番号より小さい第４種類データパケットコンテンツのシーケンス番号をさらに含む。ここで、前記第４種類データパケットコンテンツは、エアインタフェース伝送が行われかつ相手側からＡＣＫを取得したＰＤＣＰ  ＰＤＵまたはＲＬＣ  ＰＤＵを含む。
【００１２】
選択可能に、前記リンク異常指示情報に前記データ伝送状態情報が含まれる場合、前記データ伝送状態情報は、第５種類データパケットコンテンツに対応する最大シーケンス番号と、前記第５種類データパケットコンテンツに対応する最大シーケンス番号より小さい第２種類データパケットコンテンツのシーケンス番号とを含む。ここで、前記第５種類データパケットコンテンツは、エアインタフェース伝送が行われるＰＤＣＰ  ＰＤＵを含み、前記第２種類データパケットコンテンツは、エアインタフェース伝送が行われるが相手側からＡＣＫを取得しなかったＰＤＣＰ  ＰＤＵを含む。または、前記第５種類データパケットコンテンツは、エアインタフェース伝送が行われるＲＬＣ  ＰＤＵを含み、前記第２種類データパケットコンテンツは、エアインタフェース伝送が行われるが相手側からＡＣＫを取得しなかったＲＬＣ  ＰＤＵを含む。
【００１３】
選択可能に、前記リンク異常指示情報に前記データ伝送状態情報が含まれる場合、前記データ伝送状態情報は、エアインタフェース伝送が行われるデータパケットコンテンツのシーケンス番号、および／または、エアインタフェース伝送が行われないデータパケットコンテンツのシーケンス番号を含む。ここで、前記エアインタフェース伝送が行われるデータパケットコンテンツは、エアインタフェース伝送が行われるＰＤＣＰ  ＰＤＵを含み、前記エアインタフェース伝送が行われないデータパケットコンテンツは、エアインタフェース伝送が行われないＰＤＣＰ  ＰＤＵを含む。または、前記エアインタフェース伝送が行われるデータパケットコンテンツは、エアインタフェース伝送が行われるＲＬＣ  ＰＤＵを含み、前記エアインタフェース伝送が行われないデータパケットコンテンツは、エアインタフェース伝送が行われないＲＬＣ  ＰＤＵを含む。
【００１４】
選択可能に、前記リンク異常指示情報に前記データ伝送状態情報が含まれる場合、前記データ伝送状態情報は、エアインタフェース伝送が行われるデータパケットコンテンツに対応する最大シーケンス番号を含む。前記エアインタフェース伝送が行われるデータパケットコンテンツは、エアインタフェース伝送が行われるＲＬＣ  ＰＤＵを含む。
【００１５】
選択可能に、前記マスタ制御ノードにリンク異常指示情報を送信した後に、前記方法において、前記目標リンクのリンク状態情報が所定のリンク回復条件を満たす場合、前記マスタ制御ノードにリンク品質回復指示情報を送信することをさらに含む。
【００１６】
選択可能に、前記方法において、前記目標リンク上のデータ伝送を停止させることをさらに含む。
【００１７】
選択可能に、前記目標リンク上のデータ伝送を停止させる前に、前記方法において、前記マスタ制御ノードから送信される状態報知確認メッセージを受信することをさらに含む。前記目標リンク上のデータ伝送を停止させることは、具体的に、前記状態報知確認メッセージに基づいて前記目標リンク上のデータ伝送を停止させる。
【００１８】
選択可能に、前記目標リンク上のデータ伝送を停止させた後に、前記方法において、前記目標リンクをリセットし、リセットした後の前記目標リンクを利用してデータ伝送を行うことをさらに含む。
【００１９】
選択可能に、前記目標リンクをリセットし、リセットした後の前記目標リンクを利用してデータ伝送を行う前に、前記方法において、前記マスタ制御ノードから送信されるリンク回復確認メッセージを受信することをさらに含む。前記目標リンクをリセットし、リセットした後の前記目標リンクを利用してデータ伝送を行うことは、具体的に、前記リンク回復確認メッセージに基づいて前記目標リンクをリセットし、リセットした後の前記目標リンクを利用してデータ伝送を行う。
【００２０】
第２態様として、本開示は、情報処理方法を提供する。当該情報処理方法において、目標リンクにリンク異常が生じたことを指示することに用いられるリンク異常指示情報をセカンダリノードから受信することと、前記リンク異常指示情報に基づいて前記目標リンクの代替リンクを選択し、前記目標リンクに対応するデータを前記代替リンクで処理することとを含む。
【００２１】
選択可能に、前記リンク異常指示情報は、リンク品質劣化指示情報および／またはデータ伝送状態情報を含む。
【００２２】
選択可能に、前記リンク異常指示情報に前記データ伝送状態情報が含まれる場合、リンク異常指示情報をセカンダリノードから受信した後に、前記方法において、さらに、前記データ伝送状態情報に基づいて処理対象データを特定することを含む。前記目標リンクに対応するデータを前記代替リンクで処理することは、前記処理対象データを前記代替リンクで処理することを含む。
【００２３】
選択可能に、前記データ伝送状態情報は、第１種類データパケットコンテンツのシーケンス番号と、第２種類データパケットコンテンツのシーケンス番号と、第３種類データパケットコンテンツのシーケンス番号とを含む。前記データ伝送状態情報に基づいて処理対象データを特定することは、前記第２種類データパケットコンテンツのシーケンス番号と前記第３種類データパケットコンテンツのシーケンス番号に基づいて、前記第２種類データパケットコンテンツと前記第３種類データパケットコンテンツを前記処理対象データとすることを含む。前記目標リンクのデータを前記代替リンクで処理することは、前記第２種類データパケットコンテンツを前記代替リンクで再送し、前記第３種類データパケットコンテンツを前記代替リンクで伝送することを含む。ここで、前記第１種類データパケットコンテンツは、エアインタフェース伝送が行われかつ相手側からＡＣＫを取得したＰＤＣＰ  ＰＤＵを含み、前記第２種類データパケットコンテンツは、エアインタフェース伝送が行われるが相手側からＡＣＫを取得しなかったＰＤＣＰ  ＰＤＵを含み、前記第３種類データパケットコンテンツは、エアインタフェース伝送が行われないＰＤＣＰ  ＰＤＵを含む。または、前記第１種類データパケットコンテンツは、エアインタフェース伝送が行われかつ相手側からＡＣＫを取得したＲＬＣ  ＰＤＵを含み、前記第２種類データパケットコンテンツは、エアインタフェース伝送が行われるが相手側からＡＣＫを取得しなかったＲＬＣ  ＰＤＵを含み、前記第３種類データパケットコンテンツは、エアインタフェース伝送が行われないＲＬＣ  ＰＤＵを含む。
【００２４】
選択可能に、前記データ伝送状態情報は、第１種類データパケットコンテンツに対応する最大シーケンス番号と、前記第１種類データパケットコンテンツに対応する最大シーケンス番号以上の第２種類データパケットコンテンツに対応する最大シーケンス番号を含む。前記データ伝送状態情報に基づいて前記処理対象データを特定することは、前記セカンダリノードに割り当てられるすべてのデータパケットコンテンツから、前記第１種類データパケットコンテンツに対応する最大シーケンス番号と前記第２種類データパケットコンテンツに対応する最大シーケンス番号に基づいて、再送データパケットコンテンツと伝送データパケットコンテンツを特定することを含む。ここで、前記再送データパケットコンテンツのシーケンス番号は、前記第１種類データパケットコンテンツに対応する最大シーケンス番号より大きくかつ前記第２種類データパケットコンテンツに対応する最大シーケンス番号より小さい。前記伝送データパケットコンテンツのシーケンス番号は、前記第２種類データパケットコンテンツに対応する最大シーケンス番号より大きい。前記目標リンクのデータを前記代替リンクで処理することは、前記再送データパケットコンテンツを前記代替リンクで再送し、前記伝送データパケットコンテンツを前記代替リンクで伝送することを含む。ここで、前記第１種類データパケットコンテンツは、エアインタフェース伝送が連続的に行われかつ相手側からＡＣＫを取得したＰＤＣＰ  ＰＤＵを含み、前記第２種類データパケットコンテンツは、エアインタフェース伝送が行われるＰＤＣＰ  ＰＤＵを含む。または、前記第１種類データパケットコンテンツは、エアインタフェース伝送が連続的に行われかつ相手側からＡＣＫを取得したＲＬＣ  ＰＤＵを含み、前記第２種類データパケットコンテンツは、エアインタフェース伝送が行われるＲＬＣ  ＰＤＵを含む。
【００２５】
選択可能に、前記データ伝送状態情報は、前記セカンダリノードに割り当てられるデータパケットコンテンツに対応する最大シーケンス番号、および／または、前記第１種類データパケットコンテンツに対応する最大シーケンス番号より大きくかつ前記第２種類データパケットコンテンツに対応する最大シーケンス番号より小さい第４種類データパケットコンテンツのシーケンス番号をさらに含む。前記伝送データパケットコンテンツのシーケンス番号は、前記セカンダリノードに割り当てられるデータパケットコンテンツに対応する最大シーケンス番号より小さい。ここで、前記第４種類データパケットコンテンツは、エアインタフェース伝送が行われかつ相手側からＡＣＫを取得したＰＤＣＰ  ＰＤＵまたはＲＬＣ  ＰＤＵを含む。前記再送データパケットコンテンツは、前記第４種類データパケットコンテンツ以外のデータパケットコンテンツである。
【００２６】
選択可能に、前記データ伝送状態情報は、第５種類データパケットコンテンツに対応する最大シーケンス番号と、前記第５種類データパケットコンテンツに対応する最大シーケンス番号より小さい第２種類データパケットコンテンツのシーケンス番号とを含む。前記データ伝送状態情報に基づいて前記処理対象データを特定することは、前記第５種類データパケットコンテンツに対応する最大シーケンス番号および前記第２種類データパケットコンテンツのシーケンス番号に基づいて、再送データパケットコンテンツと伝送データパケットコンテンツを特定することを含む。ここで、前記第２種類データパケットコンテンツを前記再送データパケットコンテンツとし、前記セカンダリノードに割り当てられるデータパケットコンテンツのうち、前記第５種類データパケットコンテンツに対応する最大シーケンス番号より大きいシーケンス番号のデータパケットコンテンツを、前記伝送データパケットコンテンツとすることを含む。前記目標リンクのデータを前記代替リンクで処理することは、前記再送データパケットコンテンツを前記代替リンクで再送し、前記伝送データパケットコンテンツを前記代替リンクで伝送することを含む。ここで、前記第５種類データパケットコンテンツは、エアインタフェース伝送が行われるＰＤＣＰ  ＰＤＵを含み、前記第２種類データパケットコンテンツは、エアインタフェース伝送が行われるが相手側からＡＣＫを取得しなかったＰＤＣＰ  ＰＤＵを含む。または、前記第５種類データパケットコンテンツは、エアインタフェース伝送が行われるＲＬＣ  ＰＤＵを含み、前記第２種類データパケットコンテンツは、エアインタフェース伝送が行われるが相手側からＡＣＫを取得しなかったＲＬＣ  ＰＤＵを含む。
【００２７】
選択可能に、前記データ伝送状態情報は、エアインタフェース伝送が行われるデータパケットコンテンツのシーケンス番号、および／または、エアインタフェース伝送が行われないデータパケットコンテンツのシーケンス番号を含む。前記データ伝送状態情報に基づいて前記処理対象データを特定することは、前記エアインタフェース伝送が行われるデータパケットコンテンツのシーケンス番号およびエアインタフェース伝送が行われないデータパケットコンテンツのシーケンス番号のうちの少なくともひとつに基づいて、エアインタフェース伝送が行われないデータパケットコンテンツを処理対象データとすることを含む。ここで、前記エアインタフェース伝送が行われるデータパケットコンテンツは、エアインタフェース伝送が行われるＰＤＣＰ  ＰＤＵを含み、前記エアインタフェース伝送が行われないデータパケットコンテンツは、エアインタフェース伝送が行われないＰＤＣＰ  ＰＤＵを含む。または、前記エアインタフェース伝送が行われるデータパケットコンテンツは、エアインタフェース伝送が行われるＲＬＣ  ＰＤＵを含み、前記エアインタフェース伝送が行われないデータパケットコンテンツは、エアインタフェース伝送が行われないＲＬＣ  ＰＤＵを含む。
【００２８】
選択可能に、前記データ伝送状態情報は、エアインタフェース伝送が行われるデータパケットコンテンツに対応する最大シーケンス番号を含む。前記エアインタフェース伝送が行われるデータパケットコンテンツは、エアインタフェース伝送が行われるＲＬＣ  ＰＤＵを含む。前記データ伝送状態情報に基づいて前記処理対象データを特定することは、前記セカンダリノードに割り当てられるデータパケットコンテンツのうち、前記エアインタフェース伝送が行われるデータパケットコンテンツに対応する最大シーケンス番号より大きいシーケンス番号のデータパケットコンテンツを、前記処理対象データとすることを含む。
【００２９】
選択可能に、前記方法において、前記セカンダリノードから送信されるリンク品質回復指示情報を受信することをさらに含む。
【００３０】
選択可能に、前記方法において、前記セカンダリノードに状態報知確認メッセージを送信すること、および／または、前記セカンダリノードにリンク回復確認メッセージを送信することをさらに含む。
【００３１】
第３態様として、本開示は、情報処理装置を提供する。当該情報処理装置は、目標リンクのリンク状態情報を取得することに用いられる情報取得モジュールと、前記リンク状態情報に基づいて、前記目標リンクにリンク異常が生じたかを特定することに用いられる情報判断モジュールと、前記目標リンクにリンク異常が生じたと特定した場合、マスタ制御ノードに対し、前記目標リンクにリンク異常が生じた旨を前記マスタ制御ノードに指示することに用いられるリンク異常指示情報を送信することに用いられる情報送信モジュールとを含む。
【００３２】
選択可能に、前記情報判断モジュールは、前記リンク状態情報が所定のリンク劣化条件を満たすかを特定することに用いられる判断サブモジュールと、前記リンク状態情報が所定のリンク劣化条件を満たすのであれば、前記目標リンクに異常が生じたと特定することに用いられる特定サブモジュールとを含む。
【００３３】
選択可能に、前記リンク異常指示情報は、リンク品質劣化指示情報およびデータ伝送状態情報のうちの少なくともひとつを含む。
【００３４】
選択可能に、前記リンク異常指示情報に前記データ伝送状態情報が含まれる場合、前記情報送信モジュールから送信されるデータ伝送状態情報は、第１種類データパケットコンテンツのシーケンス番号と、第２種類データパケットコンテンツのシーケンス番号と、第３種類データパケットコンテンツのシーケンス番号とを含む。ここで、前記第１種類データパケットコンテンツは、エアインタフェース伝送が行われかつ相手側からＡＣＫを取得したＰＤＣＰ  ＰＤＵを含み、前記第２種類データパケットコンテンツは、エアインタフェース伝送が行われるが相手側からＡＣＫを取得しなかったＰＤＣＰ  ＰＤＵを含み、前記第３種類データパケットコンテンツは、エアインタフェース伝送が行われないＰＤＣＰ  ＰＤＵを含む。または、前記第１種類データパケットコンテンツは、エアインタフェース伝送が行われかつ相手側からＡＣＫを取得したＲＬＣ  ＰＤＵを含み、前記第２種類データパケットコンテンツは、エアインタフェース伝送が行われるが相手側からＡＣＫを取得しなかったＲＬＣ  ＰＤＵを含み、前記第３種類データパケットコンテンツは、エアインタフェース伝送が行われないＲＬＣ  ＰＤＵを含む。
【００３５】
選択可能に、前記リンク異常指示情報に前記データ伝送状態情報が含まれる場合、前記情報送信モジュールから送信されるデータ伝送状態情報は、第１種類データパケットコンテンツに対応する最大シーケンス番号と、前記第１種類データパケットコンテンツに対応する最大シーケンス番号以上の第２種類データパケットコンテンツに対応する最大シーケンス番号を含む。ここで、前記第１種類データパケットコンテンツは、エアインタフェース伝送が連続的に行われかつ相手側からＡＣＫを取得したＰＤＣＰ  ＰＤＵを含み、前記第２種類データパケットコンテンツは、エアインタフェース伝送が行われるＰＤＣＰ  ＰＤＵを含む。または、前記第１種類データパケットコンテンツは、エアインタフェース伝送が連続的に行われかつ相手側からＡＣＫを取得したＲＬＣ  ＰＤＵを含み、前記第２種類データパケットコンテンツは、エアインタフェース伝送が行われるＲＬＣ  ＰＤＵを含む。
【００３６】
選択可能に、前記情報送信モジュールから送信されるデータ伝送状態情報は、前記マスタ制御ノードから割り当てられるデータパケットコンテンツに対応する最大シーケンス番号、および／または、前記第１種類データパケットコンテンツに対応する最大シーケンス番号より大きくかつ前記第２種類データパケットコンテンツに対応する最大シーケンス番号より小さい第４種類データパケットコンテンツのシーケンス番号をさらに含む。ここで、前記第４種類データパケットコンテンツは、エアインタフェース伝送が行われかつ相手側からＡＣＫを取得したＰＤＣＰ  ＰＤＵまたはＲＬＣ  ＰＤＵを含む。
【００３７】
選択可能に、前記リンク異常指示情報に前記データ伝送状態情報が含まれる場合、前記情報送信モジュールから送信されるデータ伝送状態情報は、第５種類データパケットコンテンツに対応する最大シーケンス番号と、前記第５種類データパケットコンテンツに対応する最大シーケンス番号より小さい第２種類データパケットコンテンツのシーケンス番号とを含む。ここで、前記第５種類データパケットコンテンツは、エアインタフェース伝送が行われるＰＤＣＰ  ＰＤＵを含み、前記第２種類データパケットコンテンツは、エアインタフェース伝送が行われるが相手側からＡＣＫを取得しなかったＰＤＣＰ  ＰＤＵを含む。または、前記第５種類データパケットコンテンツは、エアインタフェース伝送が行われるＲＬＣ  ＰＤＵを含み、前記第２種類データパケットコンテンツは、エアインタフェース伝送が行われるが相手側からＡＣＫを取得しなかったＲＬＣ  ＰＤＵを含む。
【００３８】
選択可能に、前記リンク異常指示情報に前記データ伝送状態情報が含まれる場合、前記情報送信モジュールから送信されるデータ伝送状態情報は、エアインタフェース伝送が行われるデータパケットコンテンツのシーケンス番号、および、エアインタフェース伝送が行われないデータパケットコンテンツのシーケンス番号のうちの少なくともひとつを含む。ここで、前記エアインタフェース伝送が行われるデータパケットコンテンツは、エアインタフェース伝送が行われるＰＤＣＰ  ＰＤＵを含み、前記エアインタフェース伝送が行われないデータパケットコンテンツは、エアインタフェース伝送が行われないＰＤＣＰ  ＰＤＵを含む。または、前記エアインタフェース伝送が行われるデータパケットコンテンツは、エアインタフェース伝送が行われるＲＬＣ  ＰＤＵを含み、前記エアインタフェース伝送が行われないデータパケットコンテンツは、エアインタフェース伝送が行われないＲＬＣ  ＰＤＵを含む。
【００３９】
選択可能に、前記リンク異常指示情報に前記データ伝送状態情報が含まれる場合、前記情報送信モジュールから送信されるデータ伝送状態情報は、エアインタフェース伝送が行われるデータパケットコンテンツに対応する最大シーケンス番号を含む。前記エアインタフェース伝送が行われるデータパケットコンテンツは、エアインタフェース伝送が行われるＲＬＣ  ＰＤＵを含む。
【００４０】
選択可能に、前記情報送信モジュールは、さらに、前記目標リンクのリンク状態情報が所定のリンク回復条件を満たす場合、前記マスタ制御ノードにリンク品質回復指示情報を送信することに用いられる。
【００４１】
選択可能に、前記装置は、前記目標リンク上のデータ伝送を停止させることに用いられる第１情報処理モジュールをさらに含む。
【００４２】
選択可能に、前記装置は、前記マスタ制御ノードから送信される状態報知確認メッセージを受信することに用いられる第１情報受信モジュールをさらに含む。前記第１情報処理モジュールは、具体的に、前記状態報知確認メッセージに基づいて前記目標リンク上のデータ伝送を停止させることに用いられる。
【００４３】
選択可能に、前記装置は、前記目標リンクをリセットし、リセットした後の前記目標リンクを利用してデータ伝送を行うことに用いられるリセットモジュールをさらに含む。
【００４４】
選択可能に、前記装置は、前記マスタ制御ノードから送信されるリンク回復確認メッセージを受信することに用いられる第２情報受信モジュールをさらに含む。前記リセットモジュールは、具体的に、前記リンク回復確認メッセージに基づいて前記目標リンクをリセットし、リセットした後の前記目標リンクを利用してデータ伝送を行うことに用いられる。
【００４５】
第四態様として、本開示は、情報処理装置を提供する。当該情報処理装置は、目標リンクにリンク異常が生じたことを指示することに用いられるリンク異常指示情報をセカンダリノードから受信することに用いられる情報受信モジュールと、前記リンク異常指示情報に基づいて前記目標リンクの代替リンクを選択し、前記目標リンクに対応するデータを前記代替リンクで処理することに用いられる情報処理モジュールとを含む。
【００４６】
選択可能に、前記リンク異常指示情報は、リンク品質劣化指示情報およびデータ伝送状態情報のうちの少なくともひとつを含む。
【００４７】
選択可能に、前記リンク異常指示情報に前記データ伝送状態情報が含まれる場合、前記装置は、前記データ伝送状態情報に基づいて処理対象データを特定することに用いられる情報特定モジュールをさらに含む。前記情報処理モジュールは、具体的に、前記リンク異常指示情報に基づいて前記目標リンクの代替リンクを選択し、前記処理対象データを前記代替リンクで処理することに用いられる。
【００４８】
選択可能に、前記データ伝送状態情報は、第１種類データパケットコンテンツのシーケンス番号と、第２種類データパケットコンテンツのシーケンス番号と、第３種類データパケットコンテンツのシーケンス番号とを含む。前記情報特定モジュールは、具体的に、前記第２種類データパケットコンテンツのシーケンス番号と前記第３種類データパケットコンテンツのシーケンス番号に基づいて、前記第２種類データパケットコンテンツと前記第３種類データパケットコンテンツを前記処理対象データとすることに用いられる。前記情報処理モジュールは、具体的に、前記第２種類データパケットコンテンツを前記代替リンクで再送し、前記第３種類データパケットコンテンツを前記代替リンクで伝送することに用いられる。ここで、前記第１種類データパケットコンテンツは、エアインタフェース伝送が行われかつ相手側からＡＣＫを取得したＰＤＣＰ  ＰＤＵを含み、前記第２種類データパケットコンテンツは、エアインタフェース伝送が行われるが相手側からＡＣＫを取得しなかったＰＤＣＰ  ＰＤＵを含み、前記第３種類データパケットコンテンツは、エアインタフェース伝送が行われないＰＤＣＰ  ＰＤＵを含む。または、前記第１種類データパケットコンテンツは、エアインタフェース伝送が行われかつ相手側からＡＣＫを取得したＲＬＣ  ＰＤＵを含み、前記第２種類データパケットコンテンツは、エアインタフェース伝送が行われるが相手側からＡＣＫを取得しなかったＲＬＣ  ＰＤＵを含み、前記第３種類データパケットコンテンツは、エアインタフェース伝送が行われないＲＬＣ  ＰＤＵを含む。
【００４９】
選択可能に、前記データ伝送状態情報は、第１種類データパケットコンテンツに対応する最大シーケンス番号と、前記第１種類データパケットコンテンツに対応する最大シーケンス番号以上の第２種類データパケットコンテンツに対応する最大シーケンス番号を含む。前記情報特定モジュールは、具体的に、前記セカンダリノードに割り当てられるすべてのデータパケットコンテンツから、前記第１種類データパケットコンテンツに対応する最大シーケンス番号および第２種類データパケットコンテンツに対応する最大シーケンス番号に基づいて、再送データパケットコンテンツと伝送データパケットコンテンツを特定することに用いられる。ここで、前記再送データパケットコンテンツのシーケンス番号は、前記第１種類データパケットコンテンツに対応する最大シーケンス番号より大きくかつ前記第２種類データパケットコンテンツに対応する最大シーケンス番号より小さい。前記伝送データパケットコンテンツのシーケンス番号は、前記第２種類データパケットコンテンツに対応する最大シーケンス番号より大きい。前記情報処理モジュールは、具体的に、前記再送データパケットコンテンツを前記代替リンクで再送し、前記伝送データパケットコンテンツを前記代替リンクで伝送することに用いられる。ここで、前記第１種類データパケットコンテンツは、エアインタフェース伝送が連続的に行われかつ相手側からＡＣＫを取得したＰＤＣＰ  ＰＤＵを含み、前記第２種類データパケットコンテンツは、エアインタフェース伝送が行われるＰＤＣＰ  ＰＤＵを含む。または、前記第１種類データパケットコンテンツは、エアインタフェース伝送が連続的に行われかつ相手側からＡＣＫを取得したＲＬＣ  ＰＤＵを含み、前記第２種類データパケットコンテンツは、エアインタフェース伝送が行われるＲＬＣ  ＰＤＵを含む。
【００５０】
選択可能に、前記データ伝送状態情報は、前記セカンダリノードに割り当てられるデータパケットコンテンツに対応する最大シーケンス番号、および／または、前記第１種類データパケットコンテンツに対応する最大シーケンス番号より大きくかつ前記第２種類データパケットコンテンツに対応する最大シーケンス番号より小さい第４種類データパケットコンテンツのシーケンス番号をさらに含む。前記伝送データパケットコンテンツのシーケンス番号は、前記セカンダリノードに割り当てられるデータパケットコンテンツに対応する最大シーケンス番号より小さい。ここで、前記第４種類データパケットコンテンツは、エアインタフェース伝送が行われかつ相手側からＡＣＫを取得したＰＤＣＰ  ＰＤＵまたはＲＬＣ  ＰＤＵを含む。前記再送データパケットコンテンツは、前記第４種類データパケットコンテンツ以外のデータパケットコンテンツである。
【００５１】
選択可能に、前記データ伝送状態情報は、第５種類データパケットコンテンツに対応する最大シーケンス番号と、前記第５種類データパケットコンテンツに対応する最大シーケンス番号より小さい第２種類データパケットコンテンツのシーケンス番号とを含む。前記情報特定モジュールは、具体的に、前記第５種類データパケットコンテンツに対応する最大シーケンス番号および前記第２種類データパケットコンテンツのシーケンス番号に基づいて、再送データパケットコンテンツと伝送データパケットコンテンツを特定することに用いられる。ここで、前記第２種類データパケットコンテンツを前記再送データパケットコンテンツとし、前記セカンダリノードに割り当てられるすべてのデータパケットコンテンツのうち、前記第５種類データパケットコンテンツに対応する最大シーケンス番号より大きいシーケンス番号のデータパケットコンテンツを前記伝送データパケットコンテンツとする。前記情報処理モジュールは、具体的に、前記再送データパケットコンテンツを前記代替リンクで再送し、前記伝送データパケットコンテンツを前記代替リンクで伝送することに用いられる。ここで、前記第５種類データパケットコンテンツは、エアインタフェース伝送が行われるＰＤＣＰ  ＰＤＵを含み、前記第２種類データパケットコンテンツは、エアインタフェース伝送が行われるが相手側からＡＣＫを取得しなかったＰＤＣＰ  ＰＤＵを含む。または、前記第５種類データパケットコンテンツは、エアインタフェース伝送が行われるＲＬＣ  ＰＤＵを含み、前記第２種類データパケットコンテンツは、エアインタフェース伝送が行われるが相手側からＡＣＫを取得しなかったＲＬＣ  ＰＤＵを含む。
【００５２】
選択可能に、前記データ伝送状態情報は、エアインタフェース伝送が行われるデータパケットコンテンツのシーケンス番号、および、エアインタフェース伝送が行われないデータパケットコンテンツのシーケンス番号のうちの少なくともひとつを含む。前記情報特定モジュールは、具体的に、前記エアインタフェース伝送が行われるデータパケットコンテンツのシーケンス番号およびエアインタフェース伝送が行われないデータパケットコンテンツのシーケンス番号のうちの少なくともひとつに基づいて、エアインタフェース伝送が行われないデータパケットコンテンツを処理対象データとすることに用いられる。ここで、前記エアインタフェース伝送が行われるデータパケットコンテンツは、エアインタフェース伝送が行われるＰＤＣＰ  ＰＤＵを含み、前記エアインタフェース伝送が行われないデータパケットコンテンツは、エアインタフェース伝送が行われないＰＤＣＰ  ＰＤＵを含む。または、前記エアインタフェース伝送が行われるデータパケットコンテンツは、エアインタフェース伝送が行われるＲＬＣ  ＰＤＵを含み、前記エアインタフェース伝送が行われないデータパケットコンテンツは、エアインタフェース伝送が行われないＲＬＣ  ＰＤＵを含む。
【００５３】
選択可能に、前記データ伝送状態情報は、エアインタフェース伝送が行われるデータパケットコンテンツに対応する最大シーケンス番号を含む。前記エアインタフェース伝送が行われるデータパケットコンテンツは、エアインタフェース伝送が行われるＲＬＣ  ＰＤＵを含む。前記情報特定モジュールは、具体的に、前記セカンダリノードに割り当てられるすべてのデータパケットコンテンツのうち、前記エアインタフェース伝送が行われるデータパケットコンテンツに対応する最大シーケンス番号より大きいシーケンス番号のデータパケットコンテンツを、前記処理対象データとして特定することに用いられる。
【００５４】
選択可能に、前記情報受信モジュールは、さらに、前記セカンダリノードから送信されるリンク品質回復指示情報を受信することに用いられる。
【００５５】
選択可能に、前記装置は、前記セカンダリノードに状態報知確認メッセージを送信すること、および／または、前記セカンダリノードにリンク回復確認メッセージを送信することに用いられる情報送信モジュールをさらに含む。
【００５６】
第５態様として、本開示は、情報処理装置を提供する。当該情報処理装置は、プロセッサと、バスインタフェースを介して前記プロセッサに接続され、プログラムおよびデータを記憶することに用いられるメモリとを含む。前記プロセッサは、前記メモリに格納されているプログラムおよびデータを呼び出して実行すると、上記第１態様に記載の方法を実行する。
【００５７】
第６態様として、本開示は、情報処理装置を提供する。当該情報処理装置は、プロセッサと、バスインタフェースを介して前記プロセッサに接続され、プログラムおよびデータを記憶することに用いられるメモリとを含む。前記プロセッサは、前記メモリに格納されているプログラムおよびデータを呼び出して実行すると、上記第２態様に記載の方法を実行する。
【００５８】
第７態様として、本開示は、プロセッサによって実行されると、上記第１態様に記載の方法を前記プロセッサに実現させるプログラムおよびデータが格納されている非揮発性記憶媒体を提供する。
【００５９】
第８態様として、本開示は、プロセッサによって実行されると、上記第２態様に記載の方法を前記プロセッサに実現させるプログラムおよびデータが格納されている非揮発性記憶媒体を提供する。
【図面の簡単な説明】
【００６０】
【図１】関連の移動通信システムにおけるユーザプレーンのプロトコルスタックを示す図面である。
【図２】本開示の実施例における情報処理方法のフローチャートである。
【図３】本開示の実施例における情報処理方法のフローチャートである。
【図４】本開示の実施例における情報処理方法のフローチャートである。
【図５】本開示の実施例におけるデータ伝送状態情報を示す図面である。
【図６】本開示の実施例におけるデータ伝送状態情報を示す図面である。
【図７】本開示の実施例における情報処理装置を示す図面である。
【図８】本開示の実施例における情報処理装置を示す図面である。
【図９】本開示の実施例における情報処理装置を示す図面である。
【図１０】本開示の実施例における情報処理装置を示す図面である。
【図１１】本開示の実施例における情報処理装置を示す図面である。
【図１２】本開示の実施例における情報処理装置を示す図面である。
【図１３】本開示の実施例における情報処理装置を示す図面である。
【図１４】本開示の実施例における情報処理装置を示す図面である。
【発明を実施するための形態】
【００６１】
以下、添付図面および実施例を参照し、本開示の具体的な実施形態をさらに詳細に記載する。以下の実施例は、本開示を説明するためのものであるが、本開示の範囲を限定するためのものではない。
【００６２】
図１は、関連の移動通信システムにおけるユーザプレーンのプロトコルスタックである。図１に示すように、各層では異なるデータ処理が実行される。ＰＤＣＰ（Ｐａｃｋｅｔ  Ｄａｔａ  Ｃｏｎｖｅｒｇｅｎｃｅ  Ｐｒｏｔｏｃｏｌ）は、主に暗号化や整合性保護などセキュリティ操作やヘッダーの圧縮と解凍の処理や、ＲＯＨＣ（Ｒｏｂｕｓｔ  Ｈｅａｄｅｒ  Ｃｏｍｐｒｅｓｓｉｏｎ）の圧縮と解凍を行う。ＲＬＣ（Ｒａｄｉｏ  Ｌｉｎｋ  Ｃｏｎｔｒｏｌ）は、主にデータのセグメンテーションカスケードと順次配信とＡＲＱ（Ａｕｔｏｍａｔｉｃ  Ｒｅｐｅａｔ  ＲｅＱｕｅｓｔ）データ伝送保障を実行する。ＭＡＣ（Ｍｅｄｉａ  Ａｃｃｅｓｓ  Ｃｏｎｔｒｏｌ）は、主にスケジューリングおよび異なる論理チャネルのカスケード処理ならびにＨＡＲＱ（Ｈｙｂｒｉｄ  Ａｕｔｏｍａｔｉｃ  Ｒｅｐｅａｔ  ｒｅＱｕｅｓｔ）動作を実行する。物理層は、伝送ブロックのパケット化およびエアインタフェース送信を実行する。
【００６３】
関連技術において、Ｘ２インターフェースのトラフィック制御メカニズムは、ＭｅＮＢ（Ｍａｓｔｅｒ  ｅＮＢ）とＳｅＮＢ（Ｓｅｃｏｎｄａｒｙ  ｅＮＢ）との間のトラフィックを制御し、Ｘ２インターフェースの伝送結果をフィードバックすることを重要視する。しかしながら、関連のメカニズムが十分ではなく、例えば、高周波伝送であるリンクで瞬断が生じたりして一定時間内に正しく伝送できない場合、関連のＸ２インタフェースのトラフィック制御メカニズムでは対応できず、当該リンクが劣化し続け、当該リンクに割り当てられたデータが正しく伝送できない。
【００６４】
本開示の実施例のコアコンセプトとして、マルチコネクションやベアラ分離のシナリオでは、セカンダリノードの１本のリンクが一定の劣化条件を満たすと、セカンダリノードからリンク劣化指示をマスタ制御ノードに送信可能であり、選択可能に、リンクのデータ送信状況をマスタ制御ノードにフィードバックし、すべての未伝送または伝送未成功のデータパケットのマスタ制御ノードによる迅速かつ正確な再送に有利である。リンクが回復条件に達するのを待った後に、マスタ制御ノードが引き続き当該パスでデータ伝送を行うよう、セカンダリノードは、リンク回復の指示をマスタ制御ノードに送信する。
【００６５】
上述したコアコンセプトに基づく２つのノード間の伝送状態フィードバック方法によれば、ノードの間でリンクの状況とデータ伝送状態がタイムリーにやり取りされる。１本のリンクに異常が生じると、他のリンクでタイムリーに継続的伝送を行うことができ、劣化したリンクに対処して異常状況を積極的に対処したため、ユーザデータ経験の中断を回避し、回復処理の複雑さを軽減し、レイヤ２によるデータパケットの処理効率を向上させ、将来の５Ｇ  ＣＵ／ＤＵやマルチコネクションなどの配置シナリオに適する。
【００６６】
一般的に、マスタ制御ノードは、データの主要な集中型アンカーポイントである。デュアルコネクションまたはマルチコネクションのアーキテクチャでは、マスタ制御ノードは、ＭｅＮＢを指し、セカンダリノードは、ＳｅＮＢを指す。ＣＵ／ＤＵアーキテクチャでは、マスタ制御ノードは、ＣＵ（Ｃｅｎｔｒａｌ  Ｕｎｉｔ）を指し、セカンダリノードは、ＤＵ（Ｄｉｓｔｒｉｂｕｔｅｄ  Ｕｎｉｔ）を指す。
【００６７】
図２は、本開示の実施例における情報処理方法のフローチャートである。図２に示す情報処理方法は、セカンダリノードに応用される。前記セカンダリノードは、ＳｅＮＢ、ＤＵなどを含むが、それらに限定されない。当該情報処理方法は、ステップ１０１〜１０３を含む。
【００６８】
ステップ１０１において、目標リンクのリンク状態情報を取得する。
【００６９】
具体的な応用において、セカンダリノードは、接続されている各リンクの状態をモニタリングすることによって、各リンクのリンク状態情報を取得する。ここで、任意のリンクは、ここの目標リンクとしてもよい。
【００７０】
ここで、前記リンク状態情報は、前記目標リンクの品質モニタリング結果、前記目標リンクのデータ伝送平均成功率、またはＲＬＣ（Ｒａｄｉｏ  Ｌｉｎｋ  Ｃｏｎｔｒｏｌ）の再送回数などを含むが、それらに限定されない。
【００７１】
ステップ１０２において、前記リンク状態情報に基づいて、前記目標リンクにリンク異常が生じたかを特定する。
【００７２】
このステップにおいて、前記リンク状態情報が所定のリンク劣化条件を満たすかを特定する。前記リンク状態情報が所定のリンク劣化条件を満たすのであれば、前記目標リンクに異常が生じたと特定する。
【００７３】
ここで、前記リンク劣化条件は、ＲＲＣ（Ｒａｄｉｏ  Ｒｅｓｏｕｒｃｅ  Ｃｏｎｔｒｏｌ）シグナリングによって配置される。
【００７４】
たとえば、フォールスアラームを避けるために、前記目標リンクの品質モニタリング結果が所定のリンク品質要求を満たさない継続時間が第１所定値に達し、または、前記目標リンクのデータ伝送平均成功率が所定の成功率要求を満たさない継続時間が第２所定値に達すると、目標リンクに異常が生じたと見なしてもよい。ここで、当該第１所定値と第２所定値は、任意に設定される。または、セカンダリノード自身で対応できないことが生じ、たとえばＲＬＣの再送回数が最大値に達した場合、前記目標リンクにリンク異常が生じたと特定する。
【００７５】
ステップ１０３において、前記目標リンクにリンク異常が生じたと特定した場合、マスタ制御ノードに対し、前記目標リンクにリンク異常が生じた旨を前記マスタ制御ノードに指示することに用いられるリンク異常指示情報を送信する。
【００７６】
本開示の実施例において、リンク異常指示情報は、リンク品質劣化指示情報またはデータ伝送状態情報を含む。または、マスタ制御ノードが対応な処理を行うよう、リンク異常指示情報は、リンク品質劣化指示情報とデータ伝送状態情報を同時に含んでもよい。ここで、リンク品質劣化指示情報は、目標リンクにリンク異常が生じたことをマスタ制御ノードに指示することに用いられる。データ伝送状態情報は、マスタ制御ノードが対応な処理を行うよう、目標リンクのデータ伝送状況をマスタ制御ノードに詳細に指示することができる。
【００７７】
以上の記載によれば、本開示の実施例において、目標リンクにリンク異常が生じると、セカンダリノードからマスタ制御ノードにリンク異常指示情報を送信し、マスタ制御ノードは、当該情報に基づいて、代替リンクを選択し、目標リンクに対応するデータを処理する。したがって、目標リンクに異常が生じた場合、本開示の実施例によれば、目標リンクのデータを代替リンクでタイムリーに処理することができ、正しいデータ伝送が保証される。
【００７８】
図２に示す実施例を基に、当該情報処理方法は、さらに下記のステップ１０４〜１０６を含んでもよい。
【００７９】
ステップ１０４において、前記目標リンクのリンク状態情報が所定のリンク回復条件を満たす場合、セカンダリノードは、前記マスタ制御ノードにリンク品質回復指示情報を送信する。
【００８０】
セカンダリノードの目標リンクの状況が所定の回復条件を満たした場合、リンク品質回復指示情報をマスタノードに報知し、当該リンクでの正しい伝送が可能であることをＭｅＮＢに通知する。ここで、所定の回復条件は、ＲＲＣシグナリングによって配置される。たとえば、リンク品質モニタリングの結果が一定の閾値を満たす。誤報を避けるために、リンク品質モニタリングの結果が一定の閾値を満たしかつ一定の時間または回数を維持すると、リンクの回復と判断する。
【００８１】
ステップ１０５において、セカンダリノードは、前記目標リンク上のデータ伝送を停止させる。
【００８２】
ここで、ステップ１０４と１０５とは、厳格な前後関係がない。
【００８３】
実際の応用において、セカンダリノードは、リンク異常指示情報を報知した後に、直接、目標リンク上のデータ伝送を停止させる。または、マスタ制御ノードは、リンク異常指示情報を受信したとして、状態報知確認メッセージをセカンダリノードに送信する。この場合、ステップ１０５は、マスタ制御ノードから送信される状態報知確認メッセージを受信した後に実行される。すなわち、セカンダリノードは、前記状態報知確認メッセージに基づいて、前記目標リンク上のデータ伝送を停止させる。
【００８４】
ステップ１０６において、セカンダリノードは、前記マスタ制御ノードから送信されるリンク回復確認メッセージを受信する。
【００８５】
上記プロセスでは、リソース利用率向上のために、ステップ１０５でセカンダリノードが目標リンク上のデータ伝送を停止させた後に、さらに、前記目標リンクをリセットし、リセットした後の前記目標リンクを利用してデータ伝送を行う。または、ステップ１０６の後に、セカンダリノードは、さらに前記目標リンクをリセットし、リセットした後の前記目標リンクを利用してデータ伝送を行う。または、ステップ１０６の後に、セカンダリノードは、リンク回復確認メッセージを受信してから、前記目標リンクをリセットし、リセットした後の前記目標リンクを利用してデータ伝送を行う。
【００８６】
すなわち、本開示の実施例において、セカンダリノードが前記目標リンク上のデータ伝送を停止させることは、セカンダリノードがリンク異常指示情報を報知すれば目標リンク上のデータ伝送を停止させてもよく、マスタ制御ノードから送信される状態報知確認メッセージを受信してから停止させてもよい。
【００８７】
セカンダリノードが前記目標リンクをリセットし、リセットした後の前記目標リンクを利用してデータ伝送を行う操作は、セカンダリノードが前記目標リンク上のデータ伝送を停止させた後に行われる。この操作は、セカンダリノードが前記目標リンク上のデータ伝送を停止させ、セカンダリノードが前記マスタ制御ノードにリンク品質回復指示情報を送信した後に行われてもよく、セカンダリノードが前記目標リンク上のデータ伝送を停止させ、前記マスタ制御ノードにリンク品質回復指示情報を送信しかつマスタ制御ノードから送信されるリンク回復確認メッセージを受信した後に行われてもよい。
【００８８】
図３は、本開示の実施例における情報処理方法のフローチャートである。図３に示す情報処理方法は、マスタ制御ノードに応用される。前記マスタ制御ノードは、ＭｅＮＢ、ＣＵなどを含むが、それらに限定されない。当該方法は、ステップ２０１〜２０２を含む。
【００８９】
ステップ２０１において、目標リンクにリンク異常が生じたことを指示することに用いられるリンク異常指示情報をセカンダリノードから受信する。
【００９０】
ここで、当該リンク異常指示情報は、リンク品質劣化指示情報を含み、または、リンク品質劣化指示情報とデータ伝送状態情報を含む。
【００９１】
ステップ２０２において、前記リンク異常指示情報に基づいて前記目標リンクの代替リンクを選択し、前記目標リンクに対応するデータを前記代替リンクで処理する。
【００９２】
異なるタイプのマスタ制御ノードは、代替リンクを選択する方式が異なる。たとえば、ＭｅＮＢは、自身に伝送リンクを有し、あるＳｅＮＢからリンク異常が報知されると、関連データを自身のリンクで伝送または再送するようにしてもよく、ほかのＳｅＮＢのリンクで伝送または再送するようにしてもよい。ＣＵノードは、１つの制御ノードに過ぎず、実の伝送リンクが存在するとは限らないため、１本のＤＵのリンクに異常が生じると、ほかのＤＵのリンクで伝送および再送するようにするしかできない。マスタ制御ノードが代替リンクを選択する際に、主に代替リンクのリンク品質、バッファ力、負荷の大きさなどの要素が考慮される。選択可能な代替リンクが複数存在する場合、それらの中からリンク品質が優れ、負荷が小さく、バッファ力が強いリンクをここの代替リンクとして選択する。
【００９３】
以上の記載によれば、本開示の実施例において、目標リンクにリンク異常が生じると、セカンダリノードからマスタ制御ノードにリンク異常指示情報を送信し、マスタ制御ノードは、当該情報に基づいて代替リンクを選択し、目標リンクに対応するデータを処理する。したがって、目標リンクに異常が生じた場合、本開示の実施例によれば、目標リンクのデータを代替リンクでタイムリーに処理することができ、正しいデータ伝送が保証される。
【００９４】
本開示の実施例の解決策は、たとえばデュアル／マルチコネクションのベアラ分離アーキテクチャ、ＣＵ−ＤＵ  ＰＤＣＰ−ＲＬＣ  ｓｐｌｉｔアーキテクチャ、ＣＵ−ＤＵ  Ｈｉｇｈｅｒ  ＲＬＣ−Ｌｏｗｅｒ  ＲＬＣ  ｓｐｌｉｔアーキテクチャなど、多種類の通信アーキテクチャに応用することができる。以下、異なる実施例を参照し、本開示の実施例の情報処理方法の実現プロセスを詳細に記載する。
【００９５】
図４は、本開示の実施例における情報処理方法のフローチャートである。図４に示す実施例において、デュアル／マルチコネクションのベアラ分離アーキテクチャを応用シナリオとして記載する。ＬＴＥ（Ｌｏｎｇ  Ｔｅｒｍ  Ｅｖｏｌｕｔｉｏｎ）に類似するデュアルコネクションの３Ｃアーキテクチャにおいて、同一の無線ベアラは、２本またはそれ以上のリンクに分割されて伝送される。その場合、ＰＤＣＰプロトコルは、ＭｅＮＢノード（マスタ制御ノード）に位置して集中処理プロトコル層とするが、ＲＬＣ以下のほかのプロトコル層は、各ＳｅＮＢノード（セカンダリノード）に位置してデータパケットの分別処理を行う。同一の論理チャネルのダウンリンクデータは、まずＭｅＮＢノードのＰＤＣＰ層で処理されてから、異なるＳｅＮＢノードのパスに割り当てられて伝送される。
【００９６】
ＭｅＮＢノードと、伝送に参与する各ＳｅＮＢノードとは、データおよび状態情報などを伝送することに用いられるインタフェースが確立される。伝送されるデータパケットコンテンツは、ＰＤＣＰ  ＰＤＵ（Ｐｒｏｔｏｃｏｌ  Ｄａｔａ  Ｕｎｉｔ）である。
【００９７】
図４に示す情報処理方法は、ステップ３０１〜ステップ３０９を含む。
【００９８】
ステップ３０１において、セカンダリノードは、自身のリンクをモニタリングし、目標リンクのリンク状態情報を取得する。
【００９９】
ステップ３０２において、セカンダリノードは、前記リンク状態情報に基づいて、前記目標リンクにリンク異常が生じたかを特定する。
【０１００】
ステップ３０１と３０２の記載は、図１に示す実施例におけるステップ１０１と１０２を参照されたい。
【０１０１】
ステップ３０３において、前記目標リンクにリンク異常が生じたと特定した場合、セカンダリノードは、リンク異常指示情報をマスタ制御ノードに送信する。
【０１０２】
それに対応し、マスタ制御ノードは、セカンダリノードから送信されるリンク異常指示情報を受信する。ここで、前記リンク異常指示情報は、前記目標リンクにリンク異常が生じたことを前記マスタ制御ノードに指示することに用いられる。本開示の実施例において、前記リンク異常指示情報は、リンク品質劣化指示情報とデータ伝送状態情報を含む。この２つの情報は、同時にマスタ制御ノードに送信されてもよく、それぞれマスタ制御ノードに送信されてもよい。
【０１０３】
本開示の実施例において、前記データ伝送状態情報は、異なる形式をとりうる。
【０１０４】
（１）形式１
データ伝送状態情報は、第１種類データパケットコンテンツのシーケンス番号と、第２種類データパケットコンテンツのシーケンス番号と、第３種類データパケットコンテンツのシーケンス番号とを含む。
【０１０５】
ここで、第１種類データパケットコンテンツは、エアインタフェース伝送が行われかつ相手側からＡＣＫを取得したＰＤＣＰ  ＰＤＵ（Ｐｒｏｔｏｃｏｌ  Ｄａｔａ  Ｕｎｉｔ）を含み、前記第２種類データパケットコンテンツは、エアインタフェース伝送が行われるが相手側からＡＣＫ（ＡＣＫｎｏｗｌｅｄｇｅｍｅｎｔ）を取得しなかったＰＤＣＰ  ＰＤＵを含み、前記第３種類データパケットコンテンツは、エアインタフェース伝送が行われないＰＤＣＰ  ＰＤＵを含む。
【０１０６】
すなわち、この形式では、以上の３種類の伝送状態またはタイプのＰＤＣＰ  ＰＤＵに対応するＳＮに基づいてフィードバックし、すなわちそれぞれ異なる３つのリストに、３種類の状態でのＰＤＣＰ  ＰＤＵに対応するＳＮを羅列する。
【０１０７】
マスタ制御ノードは、当該形式のデータ伝送状態情報を受信すると、前記第２種類データパケットコンテンツと前記第３種類データパケットコンテンツを処理対象データとする。ここで、第２種類データパケットコンテンツは、再送される必要があり、第３種類データパケットコンテンツは、伝送される必要がある。
【０１０８】
（２）形式２
データ伝送状態情報は、第１種類データパケットコンテンツに対応する最大シーケンス番号と、前記第１種類データパケットコンテンツに対応する最大シーケンス番号以上の第２種類データパケットコンテンツに対応する最大シーケンス番号を含む。ここで、前記第１種類データパケットコンテンツは、エアインタフェース伝送が連続的に行われかつ相手側からＡＣＫを取得したＰＤＣＰ  ＰＤＵを含み、前記第２種類データパケットコンテンツは、エアインタフェース伝送が行われるＰＤＣＰ  ＰＤＵを含む。
【０１０９】
すなわち、当該形式では、図５に示すように、セカンダリノードは、エアインタフェース伝送が行われかつ相手側からＡＣＫを取得したＰＤＣＰ  ＰＤＵに対応する最大シーケンス番号ＳＮ１と、エアインタフェース伝送が行われるが相手側からＡＣＫを取得しなかったＰＤＣＰ  ＰＤＵに対応する最大シーケンス番号ＳＮ２を報知する。
【０１１０】
一般的に、ＳＮ１は、ＳＮ２以下であり、しかも、ＳＮ１とＳＮ２の両方は、マスタ制御ノードから当該セカンダリノードに割り当てたデータパケットに対応する最大シーケンス番号ＳＮ３以下である。すなわち、ＳＮ３≫ＳＮ２≫ＳＮ１。ここで、当該ＳＮ３の値は、セカンダリノードからマスタ制御ノードに送信される。
【０１１１】
マスタ制御ノードは、当該形式のデータ伝送状態情報を受信すると、ＳＮ１より小さいシーケンス番号のすべてのＰＤＣＰ  ＰＤＵについて、エアインタフェース伝送が行われかつ相手側からＡＣＫを取得したものであると見なすので、当該部分のデータを再度伝送する必要がない。
【０１１２】
ＳＮ１とＳＮ２との間のシーケンス番号のＰＤＣＰ  ＰＤＵは、ランダムに受信される状態にあり、一部のＰＤＣＰ  ＰＤＵが正しく受信される可能性がある。連続的ではないため、そのすべてを、エアインタフェース伝送が行われるが相手側からＡＣＫを取得しなかった状態とするしかない。マスタ制御ノードは、当該部分のＰＤＣＰ  ＰＤＵを再送する必要がある。または、セカンダリノードは、ＳＮ１とＳＮ２との間のシーケンス番号のＰＤＣＰ  ＰＤＵのうち、エアインタフェース伝送が行われかつ相手側からＡＣＫを取得したＰＤＣＰ  ＰＤＵを標識してもよい。ここで、それを第４種類データパケットコンテンツとする。それから、データ伝送状態情報には、第４種類データパケットコンテンツのシーケンス番号がさらに含まれる。この場合、マスタ制御ノードは、第４種類データパケットコンテンツのシーケンス番号を受信したのであれば、第４種類データパケットコンテンツを再送する必要がない。
【０１１３】
ＳＮ２より大きいシーケンス番号のＰＤＣＰ  ＰＤＵは、当該セカンダリノードに送信されるがエアインタフェース伝送が行われていないＰＤＣＰ  ＰＤＵであるため、マスタ制御ノードによって伝送される必要がある。
【０１１４】
（３）形式３
データ伝送状態情報は、第５種類データパケットコンテンツに対応する最大シーケンス番号と、前記第５種類データパケットコンテンツに対応する最大シーケンス番号より小さい第２種類データパケットコンテンツのシーケンス番号とを含む。
【０１１５】
前記第５種類データパケットコンテンツは、エアインタフェース伝送が行われるＰＤＣＰ  ＰＤＵ（エアインタフェース伝送が行われかつ相手側からＡＣＫを取得したＰＤＣＰ  ＰＤＵ、および、エアインタフェース伝送が行われるが相手側からＡＣＫを取得しなかったＰＤＣＰ  ＰＤＵを含む）を含む。第５種類データパケットの中のコンテンツから一部を選択して第２種類データパケットコンテンツを構成し、エアインタフェース伝送が行われるが相手側からＡＣＫを取得しなかったＰＤＣＰ  ＰＤＵを含む。
【０１１６】
すなわち、当該形式では、セカンダリノードは、エアインタフェース伝送が行われるＰＤＣＰ  ＰＤＵに対応する最大シーケンス番号、および、エアインタフェース伝送が行われるが相手側からＡＣＫを取得しなかったＰＤＣＰ  ＰＤＵのシーケンス番号をマスタ制御ノードに報知する。
【０１１７】
図６に示すように、ＡＣＫ＿ＳＮは、エアインタフェース伝送が行われるＰＤＣＰ  ＰＤＵの最大シーケンス番号ＳＮである。ＡＣＫ＿ＳＮより小さいシーケンス番号のＰＤＣＰ  ＰＤＵは、相手側からＡＣＫを取得しなかったのであれば、そのシーケンス番号をＮＡＣＫ＿ＳＮリストに羅列する。セカンダリノードからマスタ制御ノードに送信するデータ伝送状態情報には、ＡＣＫ＿ＳＮとＮＡＣＫ＿ＳＮリストの２つの情報を含むことに相当する。
【０１１８】
マスタ制御ノードは、当該データ伝送状態情報を受信すると、ＡＣＫ＿ＳＮより小さいシーケンス番号のすべてのＰＤＵについて、ＮＡＣＫ＿ＳＮリストに羅列されるデータパケットコンテンツ以外のすべてのＰＤＣＰ  ＰＤＵを除いて、伝送が成功したと満たし、再送する必要がない。一方、ＮＡＣＫ＿ＳＮリストの中のＰＤＣＰ  ＰＤＵに対し、ほかのパスで再送させる必要がある。マスタ制御ノードからセカンダリノードに割り当てたすべてのデータパケットコンテンツにおいて、ＡＣＫ＿ＳＮより大きいシーケンス番号のすべてのＰＤＣＰ  ＰＤＵは、未伝送と見なされ、ほかのパスで伝送される必要がある。
【０１１９】
一般的に、以上の３種類の形式のデータ伝送状態情報は、ＡＭ（確認方式）方式に適用し、ＡＣＫフィードバックは、ＲＬＣ層の状態報告に付帯される明示的な確認であってもよい。ＵＭ（非確認方式）方式であれば、どのデータパケットが送信済みであって、どのデータパケットが送信されなかったかだけをフィードバックすればよく、すなわち、下記の形式４である。
【０１２０】
（４）形式４
データ伝送状態情報は、エアインタフェース伝送が行われるデータパケットコンテンツのシーケンス番号、および／または、エアインタフェース伝送が行われないデータパケットコンテンツのシーケンス番号を含む。
【０１２１】
この場合、マスタ制御ノードは、データ伝送状態情報、および、セカンダリノードに割り当てられるデータパケットコンテンツの情報に基づいて、エアインタフェース伝送が行われないＰＤＣＰ  ＰＤＵを特定し、これらのエアインタフェース伝送が行われないＰＤＣＰ  ＰＤＵを伝送する。
【０１２２】
なお、ここでいうＳＮは、ＰＤＣＰ  ＰＤＵ自身のＳＮであってもよく、たとえばＧＴＰ−Ｕ（Ｕｓｅｒ  ｐｌａｎｅ  ｏｆ  ＧＰＲＳ  Ｔｕｎｎｅｌｉｎｇ  Ｐｒｏｔｏｃｏｌ）プロトコルのＳＮなど、インタフェース伝送プロトコルに対応するＳＮであってもよい。どの形式のＳＮであっても、マスタ制御ノードとセカンダリノードとの間で予め取り決められていればよい。
【０１２３】
ステップ３０４において、マスタ制御ノードは、前記データ伝送状態情報に基づいて処理対象データを特定する。
【０１２４】
ここで、処理対象データは、再送される必要のあるデータパケットコンテンツである再送データパケットコンテンツ、および、伝送される必要のあるデータパケットコンテンツである伝送データパケットコンテンツを含む。ここで、再送される必要のあるデータパケットコンテンツは、セカンダリノードからエアインタフェース伝送が行われるが相手側からＡＣＫを受信しなかったデータパケットコンテンツを指す。一方、伝送される必要のあるデータパケットコンテンツは、エアインタフェース伝送が行われないデータパケットコンテンツを指す。
【０１２５】
ステップ３０５において、マスタ制御ノードは、前記リンク異常指示情報に基づいて前記目標リンクの代替リンクを選択し、前記目標リンクに対応するデータを前記代替リンクで処理する。
【０１２６】
当該実施例において、マスタ制御ノードは、自身に伝送リンクを有し、あるＳｅＮＢのリンクから異常が報知されると、関連データを自身のリンクで伝送または再送するようにしてもよく、ほかのＳｅＮＢのリンクで伝送または再送するようにしてもよい。
【０１２７】
上記形式１の場合、マスタ制御ノードは、当該形式のデータ伝送状態情報を受信すると、前記第２種類データパケットコンテンツと前記第３種類データパケットコンテンツを処理対象データとする。ここで、第２種類データパケットコンテンツは、再送される必要があり、第３種類データパケットコンテンツは、伝送される必要がある。
【０１２８】
上記形式２の場合、マスタ制御ノードは、ＳＮ１とＳＮ２との間のシーケンス番号のＰＤＣＰ  ＰＤＵを再送データパケットコンテンツとし、ＳＮ２より大きいシーケンス番号のＰＤＣＰ  ＰＤＵを伝送データパケットコンテンツとする。データ伝送状態情報に第４種類データパケットコンテンツのシーケンス番号も含まれるのであれば、再送データパケットコンテンツは、前記第４種類データパケットコンテンツ以外のデータパケットコンテンツである。
【０１２９】
上記形式３の場合、マスタ制御ノードは、ＮＡＣＫ＿ＳＮリストの中のＰＤＣＰ  ＰＤＵを再送データパケットコンテンツとし、マスタ制御ノードからセカンダリノード割り当てたすべてのデータパケットコンテンツのうち、ＡＣＫ＿ＳＮより大きいシーケンス番号のすべてのＰＤＣＰ  ＰＤＵを前記伝送データパケットコンテンツとする。
【０１３０】
上記形式４の場合、マスタ制御ノードは、エアインタフェース伝送が行われないデータパケットコンテンツを伝送データパケットコンテンツとする。
【０１３１】
ステップ３０６において、マスタ制御ノードは、状態報知確認メッセージを前記セカンダリノードに送信する。
【０１３２】
ステップ３０７において、セカンダリノードは、前記状態報知確認メッセージに基づいて、前記目標リンク上のデータ伝送を停止させる。
【０１３３】
ステップ３０８において、前記目標リンクのリンク状態情報が所定のリンク回復条件を満たした場合、セカンダリノードは、リンク品質回復指示情報をマスタ制御ノードに送信する。
【０１３４】
セカンダリノードの目標リンクの状況が所定の回復条件を満たした場合、リンク品質回復指示情報をマスタノードに報知し、当該リンクでの正しい伝送が可能であることをＭｅＮＢに通知する。ここで、所定の回復条件は、ＲＲＣシグナリングによって配置される。たとえば、リンク品質モニタリングの結果が一定の閾値を満たす。誤報を避けるために、リンク品質モニタリングの結果が一定の閾値を満たしかつ一定の時間または回数を維持すると、リンクの回復と判断する。
【０１３５】
それに対応し、マスタ制御ノードは、セカンダリノードから送信されるリンク品質回復指示情報を受信する。
【０１３６】
ステップ３０９において、マスタ制御ノードは、リンク回復確認メッセージを前記セカンダリノードに送信する。
【０１３７】
その後、マスタ制御ノードは、目標リンクでのデータ伝送を回復させる。
【０１３８】
本開示の実施例において、セカンダリノードは、リンク異常指示情報を報知した後に、目標リンクをリセットする。ここで、リセットは、ステップ３０７の後に実行される。すなわち、データ伝送を停止させると同時にまたはその後に実行される。または、リセットは、ステップ３０９の後に実行されてもよい。セカンダリノードは、関連の状態情報をリセットし、たとえばＲＬＣ／ＭＡＣ／ＰＨＹのすべての状態をリセットし、すなわち、前記目標リンクをリセットし、リセットした後の前記目標リンクを利用してデータ伝送を行う。すなわち、目標リンクの初期状態からデータ伝送を開始する。
【０１３９】
上記プロセスにおいて、目標リンクのモニタリング結果に基づき、目標リンクのリンク状態が報知条件を満たすのであれば、再びリンク異常指示情報を前記マスタ制御ノードに送信する。たとえば、目標リンクがさらに劣化し、または一定の条件を超えて回復していない場合、セカンダリノードから再びマスタ制御ノードに報知し、それからＭｅＮＢが当該リンクを削除する。もちろん、ＭｅＮＢは、目標リンクのリンク状態がさらに劣化したか、または一定の条件を超えて回復していないかを自ら判断して当該リンクを削除してもよい。
【０１４０】
以上の記載によれば、本開示の実施例において、目標リンクにリンク異常が生じると、セカンダリノードからマスタ制御ノードにリンク異常指示情報を送信し、マスタ制御ノードは、当該情報に基づいて代替リンクを選択し、目標リンクに対応するデータを処理する。したがって、目標リンクに異常が生じた場合、本開示の実施例によれば、目標リンクのデータを代替リンクでタイムリーに処理することができ、正しいデータ伝送が保証される。
【０１４１】
本開示のもう１つの実施例は、ＣＵ−ＤＵアーキテクチャに応用し、かつＣＵ−ＤＵの間のプロトコルスタック分離方式としてＰＤＣＰ−ＲＬＣ分離アーキテクチャが用いられる。すなわち、ＰＤＣＰは、集中型プロトコルスタックとしてＣＵエンティティに位置し、ＲＬＣ層以下のプロトコルスタックは、それぞれ各ＤＵに位置する。
【０１４２】
当該アーキテクチャにおいて、ＣＵ−ＤＵでは、ユーザデータとやり取り情報を伝送することに用いられるインタフェースが存在する。ＣＵは、集中的な制御を行い、データの集中型アンカーポイントでもある。ＵＥのデータは、いずれも、ＣＵノードを介してコアネットワークまたは外部のネットワークとやり取りされる。単一ＵＥは、複数のＤＵとコネクションを確立してデータを伝送するが、データは、最終的にＣＵに集められる。本アーキテクチャでは、ＣＵ−ＤＵの間のインタフェースで伝達されるデータコンテンツは、ＰＤＣＰ  ＰＤＵであり、たとえばＧＴＰ−Ｕ（ＧＰＲＳ  Ｔｕｎｎｅｌｌｉｎｇ  Ｐｒｏｔｏｃｏｌ−Ｕ）やＧＲＥ（Ｇｅｎｅｒｉｃ  Ｒｏｕｔｉｎｇ  Ｅｎｃａｐｓｕｌａｔｉｏｎなどの伝送プロトコルもありうる。
【０１４３】
本実施例において、単一の伝送リンク、たとえばあるＤＵでは、高周波の遮断や瞬断などリンク劣化が生じ、あるＤＵのリンクでは一定時間内に正しく伝送できないことがあるため、当該ＵＥのデータが引き続き継続的に伝送されてユーザ体験の一時中断にならないよう、当該状況をＣＵに知らせる必要がある。一定期間を過ぎた後に、リンクの回復可能性があり、ＣＵは、当該ＤＵでのデータ伝送を回復させ、または、当該ＤＵからＵＥへのサービス提供が適切でないと判断して当該リンクを削除する。
【０１４４】
本実施例において、ＣＵ−ＤＵのやり取り方式は、図４に示す実施例のマスタ制御ノード−セカンダリノードの方式に類似する。本実施例において、マスタ制御ノードは、ＣＵエンティティであり、セカンダリノードは、ＤＵエンティティである。
【０１４５】
この実施例において、マスタ制御ノードが代替リンクを選択する方式は、図４に示す実施例とは異なる。ＭｅＮＢは、自身に伝送リンクを有し、あるＳｅＮＢのリンクから異常が報知されると、関連データを自身のリンクで伝送または再送するようにしてもよく、ほかのＳｅＮＢのリンクで伝送または再送するようにしてもよい。ＣＵノードは、１つの制御ノードに過ぎず、実の伝送リンクが存在するとは限らない。したがって、１本のＤＵのリンクに異常が生じて中断して報知した場合、ＣＵノードは、ほかのＤＵのリンクで伝送および再送するようにするしかできない。また、ＣＵ−ＤＵの間に一定の制御関係が存在するため、ＣＵは、各ＤＵのリンクの状況を確実に把握することで、最適なパスを選択して再送や伝送を行うことに有利である。
【０１４６】
以上の記載によれば、本開示の実施例において、目標リンクにリンク異常が生じると、セカンダリノードからマスタ制御ノードにリンク異常指示情報を送信し、マスタ制御ノードは、当該情報に基づいて代替リンクを選択し、目標リンクに対応するデータを処理する。したがって、目標リンクに異常が生じた場合、本開示の実施例によれば、目標リンクのデータを代替リンクでタイムリーに処理することができ、正しいデータ伝送が保証される。
【０１４７】
本開示のもう１つの実施例において、別のＣＵ−ＤＵアーキテクチャでの処理方式が与えられている。すなわち、ＣＵ−ＤＵの間のプロトコルスタック分離方式としてＨｉｇｈｅｒ  ＲＬＣ−Ｌｏｗｅｒ  ＲＬＣ分離アーキテクチャが用いられる。すなわち、ＰＤＣＰとＨｉｇｈｅｒ  ＲＬＣは、集中型プロトコルスタックとしてＣＵエンティティに位置し、Ｌｏｗｅｒ  ＲＬＣ層以下のプロトコルスタックは、それぞれ各ＤＵに位置する。ここで、Ｈｉｇｈｅｒ  ＲＬＣは、ＲＬＣ  ＰＤＵとＰＤＣＰ  ＰＤＵの一対一のマッピングを実行し、ＲＬＣ  ＳＮを割り当てる。一方、Ｌｏｗｅｒ  ＲＬＣは、ＭＡＣ層からリアルタイムに提供される伝送リソースのサイズに基づき、適切なサイズのＲＬＣ  ＰＤＵおよびＲＬＣ  ＰＤＵセグメントを順にＭＡＣ層に送信し、パケット化して伝送する。
【０１４８】
このようなアーキテクチャでは、ＣＵ−ＤＵインタフェースで伝送されるデータパケットコンテンツは、ＲＬＣ  ＳＮが付帯されるＲＬＣ  ＰＤＵである。しかも、このインタフェースは、たとえばＧＴＰ−ＵやＧＲＥなどの伝送層プロトコルを有してもよい。
【０１４９】
本開示の実施例において、ＣＵ−ＤＵのやり取り方式は、図４に示す実施例のマスタ制御ノード−セカンダリノードの方式に類似する。本実施例において、マスタ制御ノードは、ＣＵエンティティであり、セカンダリノードは、ＤＵエンティティである。このようなアーキテクチャでは、ＲＬＣの主要なＡＲＱ（Ａｕｔｏｍａｔｉｃ  Ｒｅｐｅａｔ  ｒｅＱｕｅｓｔ）機能がＣＵに位置するため、ＤＵは、データパケットに対し正確なＡＣＫを行うことができず、ＨＡＲＱのフィードバックに基づいて、伝送が成功したかを判断するしかできない。ＨＡＲＱの最大伝送が成功したかに基づいて、ＡＣＫ状態の確認が行われるのであれば、本開示の実施例におけるデータ伝送状態情報の形式は、図４に示す実施例の４種類の形式とは同一である。ただし、本開示の実施例において、データパケットコンテンツは、ＲＬＣ  ＰＤＵである。
【０１５０】
図４に示す実施例のデータ伝送状態情報の４種類の形式を基に、本開示の実施例において、さらにもう１つの形式のデータ伝送状態情報を有してもよい。すなわち、データ伝送状態情報は、エアインタフェース伝送が行われるデータパケットコンテンツに対応する最大シーケンス番号を含む。前記エアインタフェース伝送が行われるデータパケットコンテンツは、エアインタフェース伝送が行われるＲＬＣ  ＰＤＵを含む。当該ＳＮは、ＲＬＣ  ＳＮであり、または、ＰＤＣＰ  ＳＮであり、または、ＧＴＰ−ＵやＧＲＥのＳＮである。
【０１５１】
以上の記載によれば、本開示の実施例において、目標リンクにリンク異常が生じると、セカンダリノードからマスタ制御ノードにリンク異常指示情報を送信し、マスタ制御ノードは、当該情報に基づいて代替リンクを選択し、目標リンクに対応するデータを処理する。したがって、目標リンクに異常が生じた場合、本開示の実施例によれば、目標リンクのデータを代替リンクでタイムリーに処理することができ、正しいデータ伝送が保証される。
【０１５２】
図７は、本開示の実施例における情報処理装置を示す図面である。図７に示す情報処理装置は、目標リンクのリンク状態情報を取得することに用いられる情報取得モジュール８０１と、前記リンク状態情報に基づいて、前記目標リンクにリンク異常が生じたかを特定することに用いられる情報判断モジュール８０２と、前記目標リンクにリンク異常が生じたと特定した場合、マスタ制御ノードに対し、前記目標リンクにリンク異常が生じた旨を前記マスタ制御ノードに指示することに用いられるリンク異常指示情報を送信することに用いられる情報送信モジュール８０３とを含む。
【０１５３】
情報判断モジュール８０２は、前記リンク状態情報が所定のリンク劣化条件を満たすかを特定することに用いられる判断サブモジュールと、前記リンク状態情報が所定のリンク劣化条件を満たすのであれば、前記目標リンクに異常が生じたと特定することに用いられる特定サブモジュールとを含む。
【０１５４】
上述のように、前記リンク異常指示情報は、リンク品質劣化指示情報および／またはデータ伝送状態情報を含む。
【０１５５】
同様に、本開示の実施例において、データ伝送状態情報は、異なる形式をとりうる。具体的な形式は、上述した方法実施例の記載を参照されたい。
【０１５６】
ここで、前記情報送信モジュール８０３は、さらに、前記目標リンクのリンク状態情報が所定のリンク回復条件を満たす場合、前記マスタ制御ノードにリンク品質回復指示情報を送信することに用いられる。
【０１５７】
図８に示すように、前記装置は、前記目標リンク上のデータ伝送を停止させることに用いられる第１情報処理モジュール８０５をさらに含む。さらに、図８に示すように、前記装置は、前記マスタ制御ノードから送信される状態報知確認メッセージを受信することに用いられる第１情報受信モジュール８０４をさらに含む。この場合、第１情報処理モジュール８０５は、具体的に、前記状態報知確認メッセージに基づいて前記目標リンク上のデータ伝送を停止させることに用いられる。リンクを十分に利用するために、前記装置は、前記目標リンクをリセットし、リセットした後の前記目標リンクを利用してデータ伝送を行うことに用いられるリセットモジュール８０６をさらに含む。
【０１５８】
図９に示すように、前記装置は、前記マスタ制御ノードから送信されるリンク回復確認メッセージを受信することに用いられる第２情報受信モジュール８０７をさらに含む。前記リセットモジュール８０６は、具体的に、前記リンク回復確認メッセージに基づいて前記目標リンクをリセットし、リセットした後の前記目標リンクを利用してデータ伝送を行うことに用いられる。
【０１５９】
本開示に記載の装置は、その動作の原理が上述した方法実施例の記載を参照されたく、ＭｅＮＢ、ＣＵなどに位置することができる。
【０１６０】
以上の記載によれば、本開示の実施例において、目標リンクにリンク異常が生じると、セカンダリノードからマスタ制御ノードにリンク異常指示情報を送信し、マスタ制御ノードは、当該情報に基づいて、代替リンクを選択し、目標リンクに対応するデータを処理する。したがって、目標リンクに異常が生じた場合、本開示の実施例によれば、目標リンクのデータを代替リンクでタイムリーに処理することができ、正しいデータ伝送が保証される。
【０１６１】
図１０は、本開示の実施例における情報処理装置を示す図面である。図１０に示す情報処理装置は、目標リンクにリンク異常が生じたことを指示することに用いられるリンク異常指示情報をセカンダリノードから受信することに用いられる情報受信モジュール９０１と、前記リンク異常指示情報に基づいて前記目標リンクの代替リンクを選択し、前記目標リンクに対応するデータを前記代替リンクで処理することに用いられる情報処理モジュール９０２とを含む。
【０１６２】
ここで、前記リンク異常指示情報は、リンク品質劣化指示情報および／またはデータ伝送状態情報を含む。
【０１６３】
図１１は、本開示の実施例の別の情報処理装置を示す図面である。図１１に示すように、前記リンク異常指示情報に前記データ伝送状態情報が含まれる場合、前記装置は、前記データ伝送状態情報に基づいて処理対象データを特定することに用いられる情報特定モジュール９０３をさらに含む。前記情報処理モジュール９０２は、具体的に、前記リンク異常指示情報に基づいて前記目標リンクの代替リンクを選択し、前記処理対象データを前記代替リンクで処理することに用いられる。
【０１６４】
データ伝送状態情報の形式１に対応し、前記情報特定モジュール９０３は、具体的に、前記第２種類データパケットコンテンツのシーケンス番号と前記第３種類データパケットコンテンツのシーケンス番号に基づいて、前記第２種類データパケットコンテンツと前記第３種類データパケットコンテンツを前記処理対象データとすることに用いられる。前記情報処理モジュール９０２は、具体的に、前記第２種類データパケットコンテンツを前記代替リンクで再送し、前記第３種類データパケットコンテンツを前記代替リンクで伝送することに用いられる。
【０１６５】
データ伝送状態情報の形式２に対応し、前記情報特定モジュール９０３は、具体的に、前記セカンダリノードに割り当てられるすべてのデータパケットコンテンツから、前記第１種類データパケットコンテンツに対応する最大シーケンス番号および第２種類データパケットコンテンツに対応する最大シーケンス番号に基づいて、再送データパケットコンテンツと伝送データパケットコンテンツを特定することに用いられる。ここで、前記再送データパケットコンテンツのシーケンス番号は、前記第１種類データパケットコンテンツに対応する最大シーケンス番号より大きくかつ前記第２種類データパケットコンテンツに対応する最大シーケンス番号より小さい。前記伝送データパケットコンテンツのシーケンス番号は、前記第２種類データパケットコンテンツに対応する最大シーケンス番号より大きい。前記情報処理モジュール９０２は、具体的に、前記再送データパケットコンテンツを前記代替リンクで再送し、前記伝送データパケットコンテンツを前記代替リンクで伝送することに用いられる。
【０１６６】
この形式の場合、前記データ伝送状態情報は、前記セカンダリノードに割り当てられるデータパケットコンテンツに対応する最大シーケンス番号、および／または、前記第１種類データパケットコンテンツに対応する最大シーケンス番号より大きくかつ前記第２種類データパケットコンテンツに対応する最大シーケンス番号より小さい第４種類データパケットコンテンツのシーケンス番号をさらに含む。前記伝送データパケットコンテンツのシーケンス番号は、前記セカンダリノードに割り当てられるデータパケットコンテンツに対応する最大シーケンス番号より小さい。ここで、前記第４種類データパケットコンテンツは、エアインタフェース伝送が行われかつ相手側からＡＣＫを取得したＰＤＣＰ  ＰＤＵまたはＲＬＣ  ＰＤＵを含む。前記再送データパケットコンテンツは、前記第４種類データパケットコンテンツ以外のデータパケットコンテンツである。
【０１６７】
データ伝送状態情報の形式３に対応し、前記情報特定モジュール９０３は、具体的に、前記第５種類データパケットコンテンツに対応する最大シーケンス番号および前記第２種類データパケットコンテンツのシーケンス番号に基づいて、再送データパケットコンテンツと伝送データパケットコンテンツを特定することに用いられる。前記情報処理モジュール９０２は、具体的に、前記再送データパケットコンテンツを前記代替リンクで再送し、前記伝送データパケットコンテンツを前記代替リンクで伝送することに用いられる。
【０１６８】
データ伝送状態情報の形式４に対応し、前記情報特定モジュール９０３は、具体的に、前記エアインタフェース伝送が行われるデータパケットコンテンツのシーケンス番号および／またはエアインタフェース伝送が行われないデータパケットコンテンツのシーケンス番号に基づいて、エアインタフェース伝送が行われないデータパケットコンテンツを処理対象データとすることに用いられる。
【０１６９】
上記のＣＵ−ＤＵの間のプロトコルスタック分離方式としてＨｉｇｈｅｒ  ＲＬＣ−  Ｌｏｗｅｒ  ＲＬＣ分離アーキテクチャが取られる実施例におけるデータ伝送状態情報に対応し、すなわち、前記データ伝送状態情報は、エアインタフェース伝送が行われるデータパケットコンテンツに対応する最大シーケンス番号を含む。前記エアインタフェース伝送が行われるデータパケットコンテンツは、エアインタフェース伝送が行われるＲＬＣ  ＰＤＵを含む。この場合、前記情報特定モジュール９０３は、具体的に、前記セカンダリノードに割り当てられるすべてのデータパケットコンテンツのうち、前記エアインタフェース伝送が行われるデータパケットコンテンツに対応する最大シーケンス番号より大きいシーケンス番号のデータパケットコンテンツを、前記処理対象データとして特定することに用いられる。
【０１７０】
また、前記情報受信モジュール９０１は、さらに、前記セカンダリノードから送信されるリンク品質回復指示情報を受信することに用いられる。
【０１７１】
図１２は、本開示の実施例のもう１つの情報処理装置を示す図面である。図１２に示すように、前記装置は、前記セカンダリノードに状態報知確認メッセージを送信すること、および／または、前記セカンダリノードにリンク回復確認メッセージを送信することに用いられる情報送信モジュール９０４をさらに含む。
【０１７２】
本開示に記載の装置は、その動作の原理が上述した方法実施例の記載を参照されたく、ＳｅＮＢ、ＤＵなどに位置することができる。
【０１７３】
以上の記載によれば、本開示の実施例において、目標リンクにリンク異常が生じると、セカンダリノードからマスタ制御ノードにリンク異常指示情報を送信し、マスタ制御ノードは、当該情報に基づいて代替リンクを選択し、目標リンクに対応するデータを処理する。したがって、目標リンクに異常が生じた場合、本開示の実施例によれば、目標リンクのデータを代替リンクでタイムリーに処理することができ、正しいデータ伝送が保証される。
【０１７４】
本開示の実施例は、情報処理装置１０００を提供する。当該情報処理装置１０００は、プロセッサ１００１と、バスインタフェース１００２を介して前記プロセッサ１００１に接続され、前記プロセッサ１００１による操作実行に用いられるプログラムおよびデータを記憶することに用いられるメモリ１００３とを含む。プロセッサ１００１は、前記メモリ１００３に格納されているプログラムおよびデータを呼び出して実行すると、目標リンクのリンク状態情報を取得することに用いられる情報取得モジュールと、前記リンク状態情報に基づいて、前記目標リンクにリンク異常が生じたかを特定することに用いられる情報判断モジュールと、前記目標リンクにリンク異常が生じたと特定した場合、マスタ制御ノードに対し、前記目標リンクにリンク異常が生じた旨を前記マスタ制御ノードに指示することに用いられるリンク異常指示情報を送信することに用いられる情報送信モジュールとして実現される。
【０１７５】
本開示の実施例は、さらに情報処理装置１１００を提供する。当該情報処理装置１１００は、プロセッサ１１０１と、バスインタフェース１１０２を介して前記プロセッサ１１０１に接続され、前記プロセッサ１１０１による操作実行に用いられるプログラムおよびデータを記憶することに用いられるメモリ１１０３とを含む。プロセッサ１１０１は、前記メモリ１１０３に格納されているプログラムおよびデータを呼び出して実行すると、目標リンクにリンク異常が生じたことを指示することに用いられるリンク異常指示情報をセカンダリノードから受信することに用いられる情報受信モジュールと、前記リンク異常指示情報に基づいて前記目標リンクの代替リンクを選択し、前記目標リンクに対応するデータを前記代替リンクで処理することに用いられる情報処理モジュールとして実現される。
【０１７６】
本開示の上記技術手段によれば、目標リンクにリンク異常が生じると、セカンダリノードからマスタ制御ノードにリンク異常指示情報を送信し、マスタ制御ノードは、当該情報に基づいて代替リンクを選択し、目標リンクに対応するデータを処理する。したがって、目標リンクに異常が生じた場合、本開示の実施例によれば、目標リンクのデータを代替リンクでタイムリーに処理することができ、正しいデータ伝送が保証される。
【０１７７】
なお、本開示の実施例におけるプロセッサとメモリを含んだ装置は、上記の方法実施例における情報処理方法を対応的に実現できる装置である。したがって、上記の方法実施例における情報処理方法のすべての実施例は、いずれも、当該プロセッサとメモリを含んだ装置に適用することができ、かつ同一または類似な効果を奏することができる。
【０１７８】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０１７９】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０１８０】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１８１】
以上の記載は、本開示の選択可能な実施形態である。なお、当業者にとって、本開示に記載した原理を逸脱することなくいくつかの改良や修飾を行うこともできる。これらの改良や修飾も、本開示の保護範囲として見なされるべきである。
【図１】
0006801098.tif 000002
【図２】
0006801098.tif 000003
【図３】
0006801098.tif 000004
【図４】
0006801098.tif 000005
【図５】
0006801098.tif 000006
【図６】
0006801098.tif 000007
【図７】
0006801098.tif 000008
【図８】
0006801098.tif 000009
【図９】
0006801098.tif 000010
【図１０】
0006801098.tif 000011
【図１１】
0006801098.tif 000012
【図１２】
0006801098.tif 000013
【図１３】
0006801098.tif 000014
【図１４】
0006801098.tif 000015